(57)【要約】【課題】複数の落札者が予定される逆オークションにおいて、入札者間の競争を促進する。【解決手段】まず、複数の入札者の端末から入札額を含む入札データを受信する。次に、入札データに含まれる、複数の入札に係る入札額の分布に関するデータを生成する。そして、入札額の分布に関するデータに基づき落札者の発注シェア又は発注数量を決定する。このようにすれば、例えば最上位（最低額）の入札及び当該最上位に近い入札額の入札に対してより多くの発注シェアを与え、逆に落札者の予定数までに入っている入札であっても最上位の入札額から大きく離れた入札額の入札にはほとんど発注シェアを与えないといった、より競争を促進する逆オークションを実施できるようになる。【選択図】図１
2008033973.tif 000002
【特許請求の範囲】
【請求項１】
複数の落札者を予定する逆オークションにおいて発注態様を決定する発注態様決定装置であって、
発注者の端末から受信した前記逆オークションの開始金額とシェア配分単位と最低シェアと落札者数とを含むデータを初期設定データ格納部に格納する初期設定処理部と、
複数の入札者の端末から受信した入札額を含む入札データを入札データ格納部に格納する入札受信部と、
前記開始金額と前記入札額との差額の、第１順位から前記落札者数で指定される順位までの前記差額の総和に対する比に比例した試算シェアを算出するシェア試算部と、
前記試算シェアを前記シェア配分単位の倍数となるように補正して補正後シェアを算出するシェア補正部と、
第２順位から前記落札者数で指定される順位までの前記補正後シェアについて、前記補正後シェアが前記最低シェア未満となる順位に係る発注シェアとして前記最低シェアを設定するとともに前記補正後シェアが前記最低シェア以上となる順位に係る発注シェアとして前記補正後シェアを設定し、第１順位に係る発注シェアとして第２順位から前記落札者数で指定される順位までの発注シェアの総和の残余を設定した上で、設定された各発注シェアを処理結果格納部に格納する発注シェア決定処理部と、
を有する発注態様決定装置。
【請求項２】
複数の落札者を予定する逆オークションにおいて発注態様を決定する発注態様決定装置であって、
発注者の端末から受信した前記逆オークションの開始金額とシェア配分単位と最低シェアと落札者数とを含むデータを初期設定データ格納部に格納する初期設定処理部と、
複数の入札者の端末から受信した入札額を含む入札データを入札データ格納部に格納する入札受信部と、
前記開始金額と前記入札額との差額を強調又は緩和させた値の、第１順位から前記落札者数で指定される順位までの前記差額の総和を強調又は緩和させた値に対する比に比例した試算シェアを算出するシェア試算部と、
前記試算シェアを前記シェア配分単位の倍数となるように補正して補正後シェアを算出するシェア補正部と、
第２順位から前記落札者数で指定される順位までの前記補正後シェアについて、前記補正後シェアが前記最低シェア未満となる順位に係る発注シェアとして前記最低シェアを設定するとともに前記補正後シェアが前記最低シェア以上となる順位に係る発注シェアとして前記補正後シェアを設定し、第１順位に係る発注シェアとして第２順位から前記落札者数で指定される順位までの発注シェアの総和の残余を設定した上で、設定された各発注シェアを処理結果格納部に格納する発注シェア決定処理部と、
を有する発注態様決定装置。
【請求項３】
初期設定処理部と入札受信部とシェア試算部とシェア補正部と発注シェア決定処理部と初期設定データ格納部と入札データ格納部と処理結果格納部とを有するコンピュータにより実行され、複数の落札者を予定する逆オークションにおいて発注態様を決定する発注態様決定方法であって、
前記初期設定処理部が、発注者の端末から受信した前記逆オークションの開始金額とシェア配分単位と最低シェアと落札者数とを含むデータを前記初期設定データ格納部に格納するステップと、
前記入札受信部が、複数の入札者の端末から受信した入札額を含む入札データを前記入札データ格納部に格納すステップと、
前記シェア試算部が、前記開始金額と前記入札額との差額の、第１順位から前記落札者数で指定される順位までの前記差額の総和に対する比に比例した試算シェアを算出するステップと、
前記シェア補正部が、前記試算シェアを前記シェア配分単位の倍数となるように補正して補正後シェアを算出するステップと、
前記発注シェア決定処理部が、第２順位から前記落札者数で指定される順位までの前記補正後シェアについて、前記補正後シェアが前記最低シェア未満となる順位に係る発注シェアとして前記最低シェアを設定するとともに前記補正後シェアが前記最低シェア以上となる順位に係る発注シェアとして前記補正後シェアを設定し、第１順位に係る発注シェアとして第２順位から前記落札者数で指定される順位までの発注シェアの総和の残余を設定した上で、設定された各発注シェアを前記処理結果格納部に格納するステップと、
を含む発注態様決定方法。
【請求項４】
初期設定処理部と入札受信部とシェア試算部とシェア補正部と発注シェア決定処理部と初期設定データ格納部と入札データ格納部と処理結果格納部とを有するコンピュータにより実行され、複数の落札者を予定する逆オークションにおいて発注態様を決定する発注態様決定方法であって、
前記初期設定処理部が、発注者の端末から受信した前記逆オークションの開始金額とシェア配分単位と最低シェアと落札者数とを含むデータを前記初期設定データ格納部に格納するステップと、
前記入札受信部が、複数の入札者の端末から受信した入札額を含む入札データを前記入札データ格納部に格納するステップと、
前記シェア試算部が、前記開始金額と前記入札額との差額を強調又は緩和させた値の、第１順位から前記落札者数で指定される順位までの前記差額の総和を強調又は緩和させた値に対する比に比例した試算シェアを算出するステップと、
前記シェア補正部が、前記試算シェアを前記シェア配分単位の倍数となるように補正して補正後シェアを算出するステップと、
前記発注シェア決定処理部が、第２順位から前記落札者数で指定される順位までの前記補正後シェアについて、前記補正後シェアが前記最低シェア未満となる順位に係る発注シェアとして前記最低シェアを設定するとともに前記補正後シェアが前記最低シェア以上となる順位に係る発注シェアとして前記補正後シェアを設定し、第１順位に係る発注シェアとして第２順位から前記落札者数で指定される順位までの発注シェアの総和の残余を設定した上で、設定された各発注シェアを前記処理結果格納部に格納するステップと、
を含む発注態様決定方法。
【請求項５】
請求項３又は４記載の発注態様決定方法をコンピュータに実行させるためのプログラム。
【発明の詳細な説明】
【技術分野】
【０００１】
本発明は、複数の落札者が予定される逆オークションにおける発注シェア又は数量を決定するための技術に関する。
【背景技術】
【０００２】
従来から逆オークションとして、最低価格を提示した入札者を落札者として決定するものが行われてきた。また、物品等を比較的大量に購入する場合、一社のみへの発注では生産能力に限界があることや、さらに契約期間中の事故・不具合等で生産停止となり、供給が途絶えるリスクや企業倒産による製造停止などのリスクを低減するため、複数者への発注を行う場合もある。このような複数者への発注を前提とした逆オークションでは、複数の落札者が予定されており、入札額の低い順に所定数の落札者が決定される。この際、落札者が受注できる数量については、例えば入札額の低い順に傾斜付けされ且つ予め定められた配分比率に従うのが通常である。入札者は、このような配分比率が事前に公表されるので、この配分比率などを考慮しつつ入札額を決定して入札を行う。
【０００３】
なお、特開２００１−３５０９９１号公報には、取引先の提示した価格だけでなく、取引先の様々な能力をも考慮して、最適な取引先を自動的に選定する技術が開示されている。具体的には、買い手企業によって提示された案件に応答して、ネットワークを介して取引先が入札価格を提示する入札システムにおける取引先総合力判定システムは、取引先の能力を数値化したデータを格納する取引先データベースと、入札価格の受信に応答して、取引先データベースから取引先の数値化データを読み出し、入札価格および数値化データに基づいて案件に対する取引先を選定する選定手段を備える。また、取引先総合力判定システムは、入札対象物件に従って取引先の能力にウェイト付けを行い、ウェイト付けされた能力に基づいて取引先を選定することができる。こうして、入札対象物件に最適な取引先を選定することができるとされる。しかし、入札価格による競争を促進するような仕組みは開示されていない。
【特許文献１】特開２００１−３５０９９１号公報
【発明の開示】
【発明が解決しようとする課題】
【０００４】
上で述べたように、従来の方法では予めシェア配分や落札者数を固定化してしまっており、最下位の落札者になればある程度の受注が可能となってしまうため、より低い入札額で入札するという意欲を喚起できていない。また、入札額の順位によってシェア配分が決定されると、より低い入札額で入札した場合のメリットが明らかでないため、一層の競争意欲を引き出すという面で問題がある。
【０００５】
従って、本発明の目的は、複数の落札者が予定される逆オークションにおいて、入札者間の競争を促進するための新規な技術を提供することである。
【０００６】
また、本発明の他の目的は、複数の落札者が予定される逆オークションにおいて、入札額をより下げるインセンティブを与えるための技術を提供することである。
【０００７】
さらに、本発明の他の目的は、複数の落札者が予定される逆オークションにおいて、落札者のさらなる絞り込みを可能とするための技術を提供することである。
【課題を解決するための手段】
【０００８】
本発明に係る、複数の落札者を予定する逆オークションにおいて発注態様を決定する発注態様決定方法は、複数の入札者の端末から入札額を含む入札データを受信し、入札データに含まれる、複数の入札に係る入札額の分布に関するデータ（差、分散、偏り、比などで表される値）を生成し、当該入札額の分布に関するデータに基づき落札者の発注シェア又は発注数量を決定するものである。
【０００９】
従来では、単に入札順位で固定の発注シェア等が割り当てられていたが、このように入札額の分布に基づけば、例えば最上位（最低額）の入札及び当該最上位に近い入札額の入札に対してより多くの発注シェアを与え、逆に落札者の予定数までに入っている入札であっても最上位の入札額から大きく離れた入札額の入札にはほとんど発注シェアを与えないといった、より競争を促進する逆オークションを実施できるようになる。
【００１０】
より具体的には、本発明の第１の態様に係る発注態様決定方法（例えば以下で述べる実施の形態１及び６の方法）は、入札受信部と入札処理部と処理装置と記憶装置と入札データ格納部とを有するコンピュータにより実行され、複数の落札者を予定する逆オークションにおいて発注態様を決定する発注態様決定方法であって、入札受信部により、複数の入札者の端末から入札額を含む入札データを受信し、入札データ格納部に格納するステップと、入札処理部により、入札データ格納部に格納されている入札データに含まれる、複数の入札に係る入札額から、最上位の入札額を特定し、当該最上位の入札額と各入札の入札額との差額を算出し、記憶装置に格納するステップと、入札処理部により、記憶装置に格納された各入札の上記差額に基づき、予め定められた、各入札順位のシェア配分に対する補正量を算出し、記憶装置に格納する補正量算出ステップと、入札処理部により、各入札順位のシェア配分及び記憶装置に格納された補正量から、各入札順位の最終シェア配分（発注割合及び発注数量のいずれの場合をも含む）を算出し、記憶装置に格納するステップとを含む。
【００１１】
このように最上位の入札額と各入札の入札額との差額をベースにシェア配分を調整することによって、より最上位の入札額に入札額を近づけようとするインセンティブが働くようにすることができる。
【００１２】
また、上で述べた補正量算出ステップ（例えば実施の形態１において）が、特定の入札の上位差額が予め定められた金額以上である場合には、入札処理部により、特定の入札の上記差額と所定額との比から、特定の入札の対応入札順位のシェア配分に対する補正量を算出し、記憶装置に格納するステップを含むようにしてもよい。このようにすれば、最上位の入札を行っている入札者は、さらに入札額を下げて下位の入札者から発注シェアを奪うことができるようになる。すなわち、入札額をより下げるインセンティブが与えられる。
【００１３】
さらに、上で述べた補正量算出ステップ（例えば実施の形態６において）が、特定の入札の上記差額が予め定められた金額以上である場合には、入札処理部により、所定の非線形関数の、特定の入札の上記差額に対する値を、特定の入札の対応入札順位のシェア配分に対する補正量として算出し、記憶装置に格納するステップを含むようにしてもよい。例えば、上記差額の影響を増幅させて発注シェアを決定すれば、より上記差額を小さくするインセンティブが働くことになる。
【００１４】
本発明の第２の態様に係る発注態様決定方法（例えば実施の形態２及び３）は、入札受信部により、複数の入札者の端末から入札額を含む入札データを受信し、入札データ格納部に格納するステップと、入札処理部により、入札データ格納部に格納されている入札データに含まれる、複数の入札に係る入札額から、各入札の入札金額の、逆オークションの開始金額からの差額と、上位所定入札順位までの上記差額の総和と、各入札の上記差額と上記差額の総和との比を算出し、記憶装置に格納する算出ステップと、入札処理部により、記憶装置に格納された上記比に基づき、仮の発注シェアを決定し、記憶装置に格納する仮発注シェア算出ステップと、入札処理部により、記憶装置に格納された仮の発注シェア（発注割合及び発注数量のいずれの場合をも含む）から、各入札順位の最終発注シェアを決定し、記憶装置に格納する決定ステップとを含む。
【００１５】
このように逆オークションの開始金額からの差額をベースにシェア配分を調整することによって、当該差額をより大きくしてシェアをより多く獲得するようなインセンティブが働くようになる。
【００１６】
さらに、本発明の第３の態様に係る発注態様決定方法（例えば実施の形態７及び８）は、入札受信部により、複数の入札者の端末から入札額を含む入札データを受信し、入札データ格納部に格納するステップと、入札処理部により、入札データ格納部に格納されている入札データに含まれる、複数の入札に係る入札額から、各入札の入札金額の、逆オークションの開始金額からの差額と、上位所定入札順位までの上記差額の総和と、各入札について、所定の非線形関数の、当該入札の上記差額に対する値と、所定の非線形関数の、上記差額の総和に対する値との比とを算出し、記憶装置に格納する算出ステップと、入札処理部により、記憶装置に格納された上記比に基づき、仮の発注シェアを決定し、記憶装置に格納する仮発注シェア算出ステップと、入札処理部により、記憶装置に格納された仮の発注シェアから、各入札順位の最終発注シェアを決定し、記憶装置に格納する決定ステップとを含む。
【００１７】
このようにすれば、さらに上記差額を大きくしてシェアをより多く獲得するようなインセンティブが働くようになる。
【００１８】
また、本発明の第２及び第３の態様に係る発注態様決定方法（例えば実施の形態３及び８）において、入札処理部により、入札データ格納部に格納されている入札データに含まれる、複数の入札に係る入札額から、最上位以外の入札につき１つ上位の入札金額との差を算出し、記憶装置に格納するステップと、入札処理部により、記憶装置に格納された上記１つ上位の入札金額との差が所定範囲内に収まっているか判断するステップと、上記１つ上位の入札金額との差が所定範囲内に収まっていない場合に、入札処理部により、算出ステップ以降の処理を実施するステップと、上記１つの上位の入札金額との差が所定範囲内に収まっている場合には、予め定められた、各入札順位のシェア配分を最終発注シェアとして決定し、記憶装置に格納するステップとをさらに含むようにしてもよい。このようにすれば、入札額の分散が大きい場合には、予め定められた発注シェアを適用すると、入札の競争を促進することができないためである。
【００１９】
さらに、本発明の第４の態様に係る発注態様決定方法（例えば実施の形態４及び９）は、入札受信部により、複数の入札者の端末から入札額を含む入札データを受信し、入札データ格納部に格納するステップと、入札処理部により、入札データ格納部に格納されている入札データに含まれる、複数の入札に係る入札額から、各入札の入札金額の、逆オークションの開始金額からの差額と、上位所定入札順位までの上記差額の平均とを算出し、記憶装置に格納する算出ステップと、入札処理部により、記憶装置に格納されている、各入札の上記差額と上位所定入札順位までの上記差額の平均とに対する、所定の関数の値に基づく、対応入札順位の所定の配分シェアを補正するための補正量を算出し、記憶装置に格納するステップと、入札処理部により、記憶装置に格納された補正量を用いて、対応入札順位の所定のシェア配分を補正することによって仮の発注シェアを算出し、記憶装置に格納する仮発注シェア算出ステップと、入札処理部により、記憶装置に格納された仮の発注シェアから、各入札順位の最終発注シェアを決定し、記憶装置に格納する決定ステップとを含む。
【００２０】
このように、例えば上記差額の平均からどの程度下回っているのか又は上回っているのかによって入札者の努力度合いを評価して、努力度合いに応じて発注シェアを決定することにより、より努力するように促すものである。
【００２１】
また、本発明の第５の態様に係る発注態様決定方法（例えば実施の形態５及び１０）は、入札受信部により、複数の入札者の端末から入札額を含む入札データを受信し、入札データ格納部に格納するステップと、入札処理部により、入札データ格納部に格納されている入札データに含まれる、複数の入札に係る入札額から、各入札の入札金額の、逆オークションの開始金額からの差額と、上位所定入札順位までの上記差額の平均及び標準偏差を算出し、記憶装置に格納する算出ステップと、入札処理部により、各入札の上記差額と上位所定入札順位までの上記差額の平均との差と上記差額の標準偏差とに対する、所定の関数の値に基づく、対応入札順位の所定の配分シェアを補正するための補正量を算出し、記憶装置に格納するステップと、入札処理部により、記憶装置に格納された補正量を用いて、対応入札順位の所定のシェア配分を補正することによって仮の発注シェアを算出し、記憶装置に格納する仮発注シェア算出ステップと、入札処理部により、記憶装置に格納された仮の発注シェアから、各入札順位の最終発注シェアを決定し、記憶装置に格納する決定ステップとを含む。
【００２２】
このように、例えば上記差額の平均からどの程度下回っているか又は上回っているか標準偏差を用いて考慮し、発注シェアを決定することによって、入札者に対してより上記差額が大きくなるように促すことができるようになる。
【００２３】
また、上で述べた所定の関数が、非線形関数である場合もある。このようにすれば、より傾斜的に発注シェアを決定することもできるようになる。
【００２４】
さらに、本発明の第４及び第５の態様に係る発注態様決定方法（例えば実施の形態４、５、９及び１０）において、入札処理部により、記憶装置に格納されている上記差額の値から、上記差額の最大値と上位所定入札順位における上記差額とを特定し、上記差額の最大値と上位所定入札順位における上記差額との差を算出し、記憶装置に格納するステップと、入札処理部により、記憶装置に格納されている、上記差額の最大値と上位所定入札順位における上記差額との差が所定範囲内に収まっているか判断するステップと、上記差額の最大値と上位所定入札順位における上記差額との差が所定範囲内に収まっていない場合に、入札処理部により、算出ステップ以降の処理を実施するステップと、上記差額の最大値と上位所定入札順位における上記差額との差が所定範囲内に収まっている場合には、予め定められた、各入札順位のシェア配分を最終発注シェアとして決定し、記憶装置に格納するステップとをさらに含むようにしてもよい。入札額に大きな差が生じている場合には、固定のシェア配分は、競争促進上不適切であるためである。
【００２５】
また、上で述べた決定ステップが、入札処理部により、仮の発注シェアを所定のルールに従って調整するステップと、最上位から上位所定入札順位までの入札に、調整後の仮の発注シェアが、発注可能な最低シェア以下の入札がある場合には、入札処理部により、該当する入札の発注シェアを最低シェアに設定し、記憶装置に格納するステップと、入札処理部により、最低シェアに設定された入札についての発注シェアの総和を除いた残余の発注シェアを、最上位から上位所定入札順位までの入札のうち最低シェアが設定された入札以外の入札に、当該入札についての調整後の仮の発注シェアに応じて配分して、記憶装置に格納するステップとを含むようにしてもよい。このようにすれば、最低シェアで足切りした上で、適切にシェア配分を行うことができるようになる。
【００２６】
さらに、本発明の第６の態様に係る発注態様決定方法（例えば実施の形態２）は、初期設定処理部と入札受信部とシェア試算部とシェア補正部と発注シェア決定処理部と初期設定データ格納部と入札データ格納部と処理結果格納部とを有するコンピュータにより実行され、複数の落札者を予定する逆オークションにおいて発注態様を決定する発注態様決定方法である。そして、本発注態様決定方法は、初期設定処理部が、発注者の端末から受信した逆オークションの開始金額とシェア配分単位と最低シェアと落札者数とを含むデータを初期設定データ格納部に格納するステップと、入札受信部が、複数の入札者の端末から受信した入札額を含む入札データを入札データ格納部に格納すステップと、シェア試算部が、開始金額と入札額との差額の、第１順位から落札者数で指定される順位までの差額の総和に対する比に比例した試算シェアを算出するステップと、シェア補正部が、試算シェアをシェア配分単位の倍数となるように補正して補正後シェアを算出するステップと、発注シェア決定処理部が、第２順位から落札者数で指定される順位までの補正後シェアについて、補正後シェアが最低シェア未満となる順位に係る発注シェアとして最低シェアを設定するとともに補正後シェアが最低シェア以上となる順位に係る発注シェアとして補正後シェアを設定し、第１順位に係る発注シェアとして第２順位から落札者数で指定される順位までの発注シェアの総和の残余を設定した上で、設定された各発注シェアを処理結果格納部に格納するステップとを含む。
【００２７】
また、本発明の第７の態様に係る発注態様決定方法（例えば実施の形態７）は、初期設定処理部と入札受信部とシェア試算部とシェア補正部と発注シェア決定処理部と初期設定データ格納部と入札データ格納部と処理結果格納部とを有するコンピュータにより実行され、複数の落札者を予定する逆オークションにおいて発注態様を決定する発注態様決定方法である。そして、本発注態様決定方法は、初期設定処理部が、発注者の端末から受信した逆オークションの開始金額とシェア配分単位と最低シェアと落札者数とを含むデータを初期設定データ格納部に格納するステップと、入札受信部が、複数の入札者の端末から受信した入札額を含む入札データを入札データ格納部に格納するステップと、シェア試算部が、開始金額と入札額との差額を強調又は緩和させた値の、第１順位から落札者数で指定される順位までの差額の総和を強調又は緩和させた値に対する比に比例した試算シェアを算出するステップと、シェア補正部が、試算シェアをシェア配分単位の倍数となるように補正して補正後シェアを算出するステップと、発注シェア決定処理部が、第２順位から落札者数で指定される順位までの補正後シェアについて、補正後シェアが最低シェア未満となる順位に係る発注シェアとして最低シェアを設定するとともに補正後シェアが最低シェア以上となる順位に係る発注シェアとして補正後シェアを設定し、第１順位に係る発注シェアとして第２順位から落札者数で指定される順位までの発注シェアの総和の残余を設定した上で、設定された各発注シェアを処理結果格納部に格納するステップとを含む。
【００２８】
本発明に係る方法をコンピュータに実行させるためのプログラムを作成することも可能であり、当該プログラムは、例えばフレキシブル・ディスク、ＣＤ−ＲＯＭ、光磁気ディスク、半導体メモリ、ハードディスク等の記憶媒体又は記憶装置に格納される。また、ネットワークを介してディジタル信号にて頒布される場合もある。なお、処理途中のデータについては、コンピュータのメモリ等の記憶装置に一時保管される。
【発明の効果】
【００２９】
本発明によれば、複数の落札者が予定される逆オークションにおいて、入札者間の競争を促進することができるようになる。
【００３０】
また、本発明の他の側面によれば、複数の落札者が予定される逆オークションにおいて、入札額をより下げるインセンティブを与えることができるようになる。
【００３１】
さらに、本発明の他の側面によれば、複数の落札者が予定される逆オークションにおいて、落札者のさらなる絞り込みを可能となる。
【発明を実施するための最良の形態】
【００３２】
［実施の形態１］
図１乃至図１５を用いて本発明の第１の実施の形態を説明する。まず、第１の実施の形態に係るシステム概要を図１に示す。
【００３３】
例えばインターネット等のネットワーク１には、複数の入札者端末（図では入札者端末Ａ乃至Ｄ）と、本実施の形態における主要な処理を実施する入札サーバ５とが接続されている。入札サーバ５には、入札サーバ５を用いて調達資材などの発注を行う発注者により操作される発注者端末７が接続されている。
【００３４】
入札サーバ５は、各種パラメータなどのデータを格納する諸元・定数ＤＢ５２と、諸元・定数ＤＢ５２から必要なデータを読み出し、発注者端末７から入札に関する初期設定データを受け付ける初期設定処理部５１と、初期設定処理部５１によって受け付けた入札に関する初期設定データ及び必要なパラメータなどのデータを格納する初期設定データ格納部５３と、入札者端末から入札データを受信する入札受信部５４と、入札受信部５４が受信した入札データを格納する入札データ格納部５５と、入札データ格納部５５と初期設定データ格納部５３とに格納されたデータを基にして落札者及びその数量又はシェアを決定するための処理を実施する入札処理部５６と、入札処理部５６の処理途中のデータ及び処理結果のデータを格納する処理結果格納部５７と、処理結果格納部５７に格納されたデータを用いて入札者端末や発注者端末７に入札結果又は最終結果などを提示するためのデータを生成し、出力する入札結果出力部５８とを有する。入札処理部５６は、シェア補正部５６１と発注シェア決定処理部５６２とを含む。
【００３５】
次に、図２乃至図１５を用いて第１の実施の形態に係るシステムの処理について説明する。まず、入札サーバ５の初期設定処理部５１は、発注者端末７からのアクセスに応じて、入札案件について必要な初期設定処理を実施する（図２：ステップＳ１）。初期設定処理については、図３を用いて説明する。まず、初期設定処理部５１は、発注者端末７に対して、案件ＩＤ、案件名、カテゴリ、申込受付期間、入札期間、物品名称、購入予定数量、納期、開始金額、最小競下金額、入札者数などの入力欄を有するウェブ（Ｗｅｂ）ページ・データを送信し、発注者端末７はこのようなＷｅｂページ・データを受信して表示装置に表示する。そうすると、発注者は発注者端末７を操作して入力欄に対してこれらのデータの入力を行い、発注者端末７はこれらのデータの入力を受け付けて、入札サーバ５に送信する。入札サーバ５の初期設定処理部５１は、発注者端末７から上記のようなデータを受信すると、初期設定データ格納部５３に格納する（ステップＳ２１）。申込受付期間は、入札の前に、入札の申込をするための期間であって、本実施の形態には直接は関係がない。また、本実施の形態では、申込みに応じて入札者数を絞り込むため、入札者数が指定される。なお、購入全体数量は「１００」、開始金額は「３０００００００」、最小競下額が「５０００００」であるものとする。
【００３６】
次に、初期設定処理部５１は、発注者端末７に対して、初期競争条件の入力欄を有するＷｅｂページ・データを送信し、発注者端末７はこのようなＷｅｂページ・データを受信し、表示装置に表示する。そうすると、発注者は発注者端末７を操作して入力欄に、初期競争条件である初期的な落札者数を入力し、発注者端末７はこのデータ入力を受け付け、入札サーバ５に送信する。入札サーバ５の初期設定処理部５１は、発注者端末７から初期競争条件データを受信し、初期設定データ格納部５３に格納する（ステップＳ２３）。このように本実施の形態では、複数落札者が存在することとなる。但し、以下で述べる処理によっては、落札者が、指定された落札者数に満たない場合も生じ得る。従って「初期」競争条件とされている。例えば、初期的な落札者数は「４」であるものとする。
【００３７】
さらに、初期設定処理部５１は、指定された初期競争条件に対応する初期順位配分シェア（以下、標準シェアと呼ぶこともある。）のデータを諸元・定数ＤＢ５２から読み出し、初期設定データ格納部５３に格納する（ステップＳ２５）。諸元・定数ＤＢ５２には、例えば図４に示すようなデータが格納されている。図４の例では、４社が初期的な落札者数と指定されている場合には第１順位乃至第４順位までのシェア配分が、３社が初期的な落札者数と指定されている場合には第１順位乃至第３順位までのシェア配分が、２社が初期的な落札者数と指定されている場合には第１順位及び第２順位のシェア配分が、それぞれ登録されている。各列の最下行は、合計を表している。なお、５社以上の初期的な落札者数が指定される可能性があれば、そのためのデータも諸元・定数ＤＢ５２に登録されている。ここでは、例えば初期的な落札者数が「４」であるので、第１順位乃至第４順位までのシェア配分のデータが読み出されるものとする。
【００３８】
また、初期設定処理部５１は、発注者端末７に対して、最低シェア割合の入力欄を有するＷｅｂページ・データを送信し、発注者端末７はこのようなＷｅｂページ・データを受信し、表示装置に表示する。そうすると、発注者は発注者端末７を操作して入力欄に、最低シェア割合を入力し、発注者端末７はこのデータ入力を受け付け、入札サーバ５に送信する。入札サーバ５の初期設定処理部５１は、発注者端末７から最低シェア割合のデータを受信し、初期設定データ格納部５３に格納する（ステップＳ２７）。最低シェア割合は、最下位の落札者であってもこの最低シェア割合の分だけは割り当てられるという値を示している。例えば「０」が最低シェア割合として指定されると、初期的な落札者数という枠内に入っていても「０」％しか割り当てられず、実質的に落札できない場合が生ずる。発注者側では、落札者をさらに絞り込むことができるようになる。なお、ここでは最低シェア割合は、「０」であるものとする。なお、割合や率（％）で設定するものについては実際の数量を設定するようにしても良い。
【００３９】
さらに、初期設定処理部５１は、発注者端末７に対して、調整係数ｎの入力欄を有するＷｅｂページ・データを送信し、発注者端末７はこのようなＷｅｂページ・データを受信し、表示装置に表示する。そうすると、発注者は発注者端末７を操作して入力欄に、調整係数ｎを入力し、発注者端末７はこのデータ入力を受け付け、入札サーバ５に送信する。入札サーバ５の初期設定処理部５１は、発注者端末７から調整係数ｎ（整数）のデータを受信し、初期設定データ格納部５３に格納する（ステップＳ２９）。調整係数ｎは、以下で説明する処理において、調整のために用いられる。なお、調整対象根拠という数値も用いられ、最小競下金額＊ｎで算出され、この値についても初期設定データ格納部５３に格納されるものとする。ここでは、調整係数ｎ＝３で、調整対象根拠＝３＊５０００００＝１５０００００であるものとする。
【００４０】
そして、初期設定処理部５１は、発注者端末７に対して、シェア調整割合の入力欄を有するＷｅｂページ・データを送信し、発注者端末７はこのようなＷｅｂページ・データを受信し、表示装置に表示する。そうすると、発注者は発注者端末７を操作して入力欄に、シェア調整割合を入力し、発注者端末７はこのデータ入力を受け付け、入札サーバ５に送信する。入札サーバ５の初期設定処理部５１は、発注者端末７からシェア調整割合のデータを受信し、初期設定データ格納部５３に格納する（ステップＳ３１）。シェア調整割合は、以下で説明する処理において、シェア調整を行う際の最小単位を示す。なお、ここでは、シェア調整割合は「５」であるものとする。
【００４１】
図２の説明に戻って、入札者が本実施の形態とは別に決定され、入札期間が開始されたものとする。そして、入札受信部５４は、いずれかの入札者端末から入札データの入力Ｗｅｂページ・データの要求を受信するまで待ち、特定の入札者端末から入札データの入力Ｗｅｂページ・データの要求を受信すると、入札データの入力Ｗｅｂページ・データを要求元の入札者端末に送信する。入札データの入力Ｗｅｂページ・データの要求の前に、例えばログインなどの認証処理が完了しており、いずれの入札者による入札であるかを特定することができ、さらにいずれの案件ＩＤに係る案件について入札を行うのかについて指定されるものとする。
【００４２】
入札者端末は、入札サーバ５から入札データの入力Ｗｅｂページ・データを受信すると表示装置に表示し、入札者による入札額の入力を促す。入札者は、入札者端末を操作して入札額を入力し、入札者端末は入札額の入力を受け付け、当該入札額を含む入札データを入札サーバ５に送信する。入札サーバ５の入札受信部５４は、入札者端末から入札データを受信し、案件ＩＤ、入札者ＩＤ及び入札額を入札データ格納部５５に格納する（ステップＳ３）。
【００４３】
そうすると、入札処理部５６のシェア補正部５６１は、入札データ格納部５５に格納されている同じ案件ＩＤの入札データを読み出してソートし、第１順位の入札額を基準として第１順位以外の入札額との差額を算出し、処理結果格納部５７に格納する（ステップＳ５）。現在の入札状況の一例として、図５に開始金額以下における入札者間の入札額の関係を示す。第１順位の入札者Ａから第４順位の入札者Ｂまでは比較的近い額となっているが、入札者Ｃの入札額は入札者Ｂからも大きく離れてしまっている。ここで入札額でソートされると、図６に示すようになる。図６に示すように、第１順位は入札者Ａであり、第２順位は入札者Ｅであり、第３順位は入札者Ｄであり、第４順位は入札者Ｂであり、第５順位は入札者Ｃである。そしてステップＳ５を実行すると、図７のテーブルの列７０１のデータが得られる。第２順位の差額は２位入札額−１位入札額で算出され、第３順位の差額は３位入札額−１位入札額で算出され、第４順位の差額は４位入札額−１位入札額で算出される。
【００４４】
そして、入札処理部５６のシェア補正処理部５６１は、シェア補正処理を実施する（ステップＳ７）。この処理については、図５乃至図８を用いて説明する。まず、シェア補正処理部５６１は、第２順位以下の各順位の入札について、｛１位入札額との差額／（最小競下額＊ｎ）｝＜ｎが満たされているか判断する（図８：ステップＳ４１）。なお、「｛」「｝」で囲った中の式については小数点以下を切り上げる。最小競下額＊ｎは、上で調整対象根拠として示したものであって「１５０００００」であり、左辺の値は、第２順位については「２」であり、第３順位についても「２」であり、第４順位については「３」である。ｎ＝３であるから、ステップＳ４１の条件を満たしているのは、第２順位及び第３順位の入札ということになる。図５で示した入札状況では、範囲Ｘに入っている入札については、左辺＝２でありステップＳ４１の条件を満たしていることになる。
【００４５】
このように１位入札額との差額が、範囲Ｘで指定されるような幅に納まっており、第１順位からあまり離れていないと判断される場合、すなわちステップＳ４１の条件を満たしている場合には、第１順位以外のその順位の補正割合を０に設定し、処理結果格納部５７に格納する（ステップＳ４３）。第２順位及び第３順位については、補正割合＝０となる。処理はその後ステップＳ４７に移行する。
【００４６】
一方、１位入札額との差額が、範囲Ｘで指定されるような幅に納まっておらず、第１順位から離れてしまっていると判断される場合、すなわちステップＳ４１の条件を満たしていない場合には、第１順位以外のその順位の補正割合を｛１位入札額との差額／（最小競下額＊ｎ）｝＊シェア調整割合＊（−１）として算出し、処理結果格納部５７に格納する（ステップＳ４５）。なお、「｛」「｝」で囲った中の式については小数点以下を切り上げる。上の例では、第４順位については、｛｝内の値が「３」で、シェア調整割合が「５」であるため、補正割合＝「−１５」が算出されて、処理結果格納部５７に格納される。処理はその後ステップＳ４７に移行する。
【００４７】
また、第１順位の補正割合を、（Σ１位以外の補正割合）＊（−１）で算出し、処理結果格納部５７に格納する（ステップＳ４７）。上の例では、第２順位及び第３順位の補正割合は０であり、第４順位の補正割合＝−１５と算出されているので、第１順位の補正割合は、＋１５と算出される。ステップＳ４１乃至Ｓ４７の処理結果をまとめると、図７のテーブルにおける列７０３に示したようになる。
【００４８】
そして、各順位の入札につき、ステップＳ２５で取得した各順位の標準シェア＋補正割合で、補正後シェアを算出し、処理結果格納部５７に格納する（ステップＳ４９）。標準シェアが、図７のテーブルの列７０２に示すようなものとすると、補正後シェアは、第１順位及び第４順位の値のみ標準シェアから変化して、列７０４に示すようなものとなる。第４順位の補正後シェアは、マイナスになっているが、ここではそのままとする。
【００４９】
このようにすれば、あまり第１順位の入札額と離れた入札額の入札であると、標準シェアよりシェアが下げられてしまうようになっている。すなわち、落札者数が４であっても、４番目に入ればよいのではなく、第１順位の入札額に近い入札額でないと、従来の標準シェアを得ることはできないということである。発注側は、これによってより有利な条件の入札を促すことができるようになる。
【００５０】
図２の説明に戻って、次に発注シェア決定処理部５６２は、発注シェア決定処理を実施する（ステップＳ９）。この処理については、図７、図９及び図１０を用いて説明する。まず、第２順位以下の各順位について、補正後シェア＜最低シェア割合という条件を満たしているか判断する（ステップＳ５１）。初期設定データ格納部５３に格納されている最低シェア割合は、上の例では０％であるので、図７の列７０４によれば、第４順位のみ条件を満たしていると判断される。従って、条件を満たしている、第２順位以下の順位について発注シェアを最低シェア割合に設定し、処理結果格納部５７に格納する（ステップＳ５５）。第４順位のシェアは０％となってしまい、初期的な落札者数の順位に入っているが、実質的に落札できていないことになる。一方、ステップＳ５１の条件を満たしていない場合には、第２順位以下の順位の補正後シェアをそのまま適用して発注シェアを決定し、処理結果格納部５７に格納する（ステップＳ５３）。第２順位及び第３順位については、ステップＳ５１の条件を満たしていないので、補正後シェアがそのまま発注シェアとなる。
【００５１】
ステップＳ５５又はステップＳ５３の後に、第１順位の発注シェアを、購入全体シェア（＝１００）−（Σ第１順位以外の発注シェア）で算出し、処理結果格納部５７に格納する（ステップＳ５７）。第２順位が３０％で、第３順位が２０％で、第４順位が０％であるならば、第１順位の発注シェアは、１００−（３０＋２０＋０）＝５０％と算出される。ここまでの処理結果は図１０に示されるとおりである。
【００５２】
図１０の結果と標準シェア（図７の列７０２）と比較すれば、第２順位及び第３順位についてはシェアは変化していないが、第４順位の分が第１順位に上乗せされたことになる。このように、第１順位の入札額から離れた入札額の入札については、シェアが減らされてしまう。この例では第２順位及び第３順位についてはシェアの変動は無かったが、第２順位及び第３順位ともにその入札額が第１順位の入札額から所定範囲以上離れていなかったためにシェアの変動がなかったのであって、第２順位及び第３順位であっても所定範囲以上離れていれば、削減の対象となっている。そして、減らされた分は第１順位のシェアが高まるようになる。すなわち、入札者側は、より低い入札額の入札を促されることになる。
【００５３】
このようにすれば、入札額の低い入札に、よりシェアが集まることになり、発注側は、複数調達先となる場合においても、全体コストをより引き下げることができるようになる。
【００５４】
図２の説明に戻って、入札結果出力部５８は、処理結果格納部５７に格納されたデータを用いて、入札者順位、発注シェア、入札額などのデータを含む入札結果Ｗｅｂページ・データを生成し、入札者端末や発注者端末７に送信する（ステップＳ１１）。例えば、図１１に示すような表示を行うためのＷｅｂページ・データを生成する。図１１の例では、全ての入札者に全ての入札状況を示す場合の例を示している。すなわち、各社の入札額、順位、発注シェア（獲得配分比）とが全て示されている。なお、このように全ての情報をオープンにすれば、より低い金額での再入札を促すことになる。具体的には、図５に示した例では、第１順位の入札者Ａが、さらに１単位低い金額、すなわち「１９５０００００」で再入札すれば、第１順位の入札額からの範囲Ｘ内に入札者Ｄの入札が入らなくなる。そうすれば、入札者Ｄのシェアは減らされ、その分入札者Ａのシェアが上がるので、その費用対効果などを考慮しつつ入札ができるようになる。また、入札者Ｂも、入札者Ｄと同じ入札額まで下げれば、標準シェアを得ることができるようになるので、再入札のインセンティブが湧くこととなる。なお、自らの入札結果だけを提示するようにしても良い。
【００５５】
以上のような処理を実施することによって、複数の落札者を決定する場合においても、順位で固定的なシェアを決定するのではなく、各入札者の実際の入札額の分布／上下関係に基づきシェアを変動させて、入札額の競争を活発化させることで、調達コストを下げることができるようになる。
【００５６】
なお、入札処理部５６は、初期設定データ格納部５３に格納されている入札の終了時刻が経過したか判断し（ステップＳ１３）、入札の終了時刻が経過していない場合には、入札受信部５４による入札受信を待つ（ステップＳ１５）。入札があれば、ステップＳ３に戻る。入札の終了時刻が経過していれば、処理を終了する。
【００５７】
上では初期的な落札者数が「４」である例を示したが、初期的な落札者数が「３」、「２」であってもよい。例えば、初期的な落札者数が「３」で、最低シェア配分が「１０」で、その他の初期設定データが同じであり、図１２に示すような入札状況であれば、図１３（ａ）に示すような順位付けが特定される。図１２に示すような入札状況では、あまり入札額に開きがないので、上で述べた処理を実施すると、図１３（ｂ）及び（ｃ）に示すように、補正割合が０％で、標準シェアが維持される。
【００５８】
また、例えば、初期的な落札者数が「２」で、最低シェア配分が「５」で、その他の初期設定データが同じであり、図１４に示すような入札状況であれば、図１５（ａ）に示すような順位付けが特定される。図１４に示すような入札状況では、第２順位以下の入札額が第１順位の入札額から大きく離れているので、上で述べた処理を実施すると、図１５（ｂ）及び（ｃ）に示すように、第２順位の補正割合が−２５％で、第１順位の補正割合が＋２５％となって、第１順位の入札により多くのシェアが上乗せされるようになる。
【００５９】
なお、本実施の形態については、第１順位の入札額との差を基準に線形な補正を行うので線型モデルと呼ぶものとする。
【００６０】
［実施の形態２］
次に、本発明の第２の実施の形態を図１６乃至図２５を用いて説明する。本実施の形態におけるシステム構成は、基本的には図１に示したものと同じであって、入札サーバ５の初期設定処理部５１の代わりに初期設定処理部５１ｂ、入札サーバ５の入札処理部５６の代わりに入札処理部５６ｂ（図１６）が処理を行う。また、入札サーバ５の初期設定データ格納部５３の代わりに初期設定データ格納部５３ｂを用いる。入札処理部５６ｂは、シェア試算部５７１と、シェア補正部５７１と、発注シェア決定処理部５７３とを有する。
【００６１】
次に、図１７乃至図２５を用いて本実施の形態における処理内容を説明する。まず、入札サーバ５の初期設定処理部５１ｂは、発注者端末７からのアクセスに応じて、入札案件について必要な初期設定処理を実施する（図１７：ステップＳ６１）。初期設定処理については、図１８を用いて説明する。まず、初期設定処理部５１ｂは、発注者端末７に対して、案件ＩＤ、案件名、カテゴリ、申込受付期間、入札期間、物品名称、購入予定数量、納期、開始金額、最小競下金額、入札者数などの入力欄を有するウェブ（Ｗｅｂ）ページ・データを送信し、発注者端末７はこのようなＷｅｂページ・データを受信して表示装置に表示する。そうすると、発注者は発注者端末７を操作して入力欄に対してこれらのデータの入力を行い、発注者端末７はこれらのデータの入力を受け付けて、入札サーバ５に送信する。入札サーバ５の初期設定処理部５１ｂは、発注者端末７から上記のようなデータを受信すると、初期設定データ格納部５３ｂに格納する（ステップＳ８１）。上で述べたステップＳ２１と同様の処理である。なお、購入全体数量は「１００」、開始金額は「３００００００００」、最小競下額が「５０００００」であるものとする。
【００６２】
次に、初期設定処理部５１ｂは、発注者端末７に対して、シェア配分条件の入力欄を有するＷｅｂページ・データを送信し、発注者端末７はこのようなＷｅｂページ・データを受信し、表示装置に表示する。そうすると、発注者は発注者端末７を操作して入力欄に、シェア配分条件であるシェア配分単位及び最低シェア配分を入力し、発注者端末７はこのデータ入力を受け付け、入札サーバ５に送信する。入札サーバ５の初期設定処理部５１ｂは、発注者端末７からシェア配分条件データを受信し、初期設定データ格納部５３ｂに格納する（ステップＳ８３）。ここでは、例えばシェア配分単位が「５」であり、最低シェア配分が「０」であるものとする。ここでは割合や率（％）の数値を入力しているが、実際の数量を入力させるようにしても良い。
【００６３】
本実施の形態においても、複数落札者が存在することを前提とするが、ここでは予め初期的な落札者数は固定で設定されているものとする。但し、発注者に設定させるようにしても良い。例えば、初期的な落札者数は「４」であるものとする。
【００６４】
図１７の説明に戻って、入札者が本実施の形態とは別に決定され、入札期間が開始されたものとする。そして、入札受信部５４は、いずれかの入札者端末から入札データの入力Ｗｅｂページ・データの要求を受信するまで待ち、特定の入札者端末から入札データの入力Ｗｅｂページ・データの要求を受信すると、入札データの入力Ｗｅｂページ・データを要求元の入札者端末に送信する。入札データの入力Ｗｅｂページ・データの要求の前に、例えばログインなどの認証処理が完了しており、いずれの入札者による入札であるかを特定することができ、さらにいずれの案件ＩＤに係る案件について入札を行うのかについて指定されるものとする。
【００６５】
入札者端末は、入札サーバ５から入札データの入力Ｗｅｂページ・データを受信すると表示装置に表示し、入札者による入札金額の入力を促す。入札者は、入札者端末を操作して入札額を入力し、入札者端末は入札額の入力を受け付け、当該入札額を含む入札データを入札サーバ５に送信する。入札サーバ５の入札受信部５４は、入札者端末から入札データを受信し、案件ＩＤ、入札者ＩＤ及び入札額を入札データ格納部５５に格納する（ステップＳ６３）。
【００６６】
そうすると、入札処理部５６ｂのシェア試算部５７１は、入札データ格納部５５に格納された入札データに対して、シェア試算処理を実施する（ステップＳ６５）。シェア試算処理については、図１９を用いて説明する。シェア試算部５７１は、入札データ格納部５５に格納されている同じ案件ＩＤの入札データを読み出してソートし、開始金額と各順位（例えば所定順位まで）の入札額との差を算出し、処理結果格納部５７に格納する（ステップＳ９１）。例えば図２０に示すような入札状況の場合には、図２１に示すような入札の順位付けが行われる。この例では、第１位順位が入札者Ａであり、第２順位が入札者Ｅであり、第３順位が入札者Ｂであり、第４順位が入札者Ｃであり、第５順位が入札者Ｄである。なお、ここでは所定順位を４位とする。但し、他の順位までを所定順位とすることも可能である。また、図２２のテーブルの列８０１に示されるような開始金額と入札額との差が算出される。
【００６７】
次に、第１位順位から所定順位（例えば第４順位）までについてステップＳ９１で算出された差額の総和（差額総額とも呼ぶ）を算出し、処理結果格納部５７に格納する（ステップＳ９３）。図２２のテーブルの列８０１の最下行に示すように、上位４者の合計が算出される。
【００６８】
そして、第２順位（２位と略記する場合もある）から所定順位（例えば第４順位）までのシェア配分を、当該順位の差額／差額総額で算出し、処理結果格納部５７に格納する（ステップＳ９５）。例えば、小数点第２位以下切り捨てとする。図２２のテーブルの列８０２に示すように、第２順位のシェア配分割合は０．２、第３順位のシェア配分割合は０．２、第４順位のシェア配分割合は０となる。
【００６９】
さらに、第１順位のシェア配分割合を、第２順位から所定順位までのシェア配分割合の総和の残余として算出し、処理結果格納部５７に格納する（ステップＳ９７）。図２２のテーブルの列８０２に示すように、１−（０．２＋０．２＋０．０）＝０．６と算出される。
【００７０】
そして、第２順位から所定順位までの試算発注数量を、購入全体数量＊当該順位のシェア配分割合で算出し、処理結果格納部５７に格納する（ステップＳ９９）。購入全体数量は「１００」であり、第２順位については「２０」、第３順位については「２０」、第４順位については「０」が算出され、格納される。
【００７１】
また、第１順位の試算発注数量を、第２順位から所定順位までの試算発注数量の総和の残余として算出し、処理結果格納部５７に格納する（ステップＳ１０１）。購入全体数量−（２０＋２０＋０）＝６０と算出され、格納される。図２２のテーブルの列８０３に示すような値が算出される。そして元の処理に戻る。
【００７２】
図１７の説明に戻って、シェア補正部５７２は、初期設定データ格納部５３ｂに格納されているシェア配分単位の整数倍になるようにシェア補正処理を実施し、処理結果を処理結果格納部５７に格納する（ステップＳ６７）。具体的には、第２順位から所定順位までの各々については、当該順位の｛試算発注数量／シェア配分単位｝＊シェア配分単位にて補正後発注数量を算出する。「｛」「｝」の間の式については小数点以下を切り捨てるということを表している。また、第１順位については、第２順位から所定順位までの補正後発注数量の総和の残余、すなわち購入全体数量−（第２順位から所定順位までの補正後発注数量の総和）を算出し、格納する。なお、例えばシェア配分単位が「５」であれば、既に試算発注数量は５の倍数になっているので、図２２のテーブルの列８０３と同じ数値が、図２２のテーブルの列８０４に示すように、補正後発注数量として特定される。
【００７３】
そして、発注シェア決定処理部５７３は、処理結果格納部５７に格納されている補正後発注数量に基づき発注シェア決定処理を実施する（ステップＳ６９）。発注シェア決定処理については、図２４を用いて説明する。まず、発注シェア決定処理部５７３は、第２順位から所定順位までの各々について、当該順位の補正後発注数量＜最低シェア配分という条件が成り立つか判断する（ステップＳ１０５）。上で述べたように、例えば最低シェア配分が「０」であれば、第４順位の補正後発注数量は「０」であるので、ステップＳ６９の条件を満たしていると判断される。ステップＳ６９の条件を満たしていると判断された、当該第２順位以下の順位については、発注数量＝最低シェア配分として設定し、処理結果格納部５７に格納する（ステップＳ１０９）。第４順位については、最低シェア配分の「０」と発注数量が決定される。
【００７４】
一方、ステップＳ６９の条件を満たしていないと判断された、当該第２順位以下の順位については、発注数量＝補正後発注数量として設定し、処理結果格納部５７に格納する（ステップＳ１０７）。第２順位及び第３順位については、ステップＳ１０７で、発注数量が「２０」と設定される。
【００７５】
また、第１順位の発注数量については、第２順位から所定順位までの発注数量の総和の残余として算出し、処理結果格納部５７に格納する（ステップＳ１１１）。具体的には、購入全体数量−（第２順位から所定順位までの発注数量の総和）で算出する。第１順位については、ステップＳ１１１で発注数量が「６０」と設定される。すなわち、図２３に示すような発注数量の算出結果が処理結果格納部５７に格納されることになる。
【００７６】
このようにすれば、入札額の低い入札に、よりシェアが集まることになり、発注側は、複数調達先となる場合においても、全体コストをより引き下げることができるようになる。
【００７７】
図１７の説明に戻って、入札結果出力部５８は、処理結果格納部５７に格納されたデータを用いて、入札者順位、発注数量、入札額などのデータを含む入札結果Ｗｅｂページ・データを生成し、入札者端末や発注者端末７に送信する（ステップＳ７１）。例えば、図２５に示すような表示を行うためのＷｅｂページ・データを生成する。図２５の例では、全ての入札者に全ての入札状況を示す場合の例を示している。すなわち、各社の入札額、順位、獲得数量とが全て示されている。なお、このように全ての情報をオープンにすれば、より低い金額での再入札を促すことになる。なお、自らの入札結果だけを提示するようにしても良い。
【００７８】
以上のような処理を実施することによって、複数の落札者を決定する場合においても、順位で固定的なシェアを決定するのではなく、各入札者の実際の入札額の上下関係に基づきシェアを変動させて、入札額の競争を活発化させることで、調達コストを下げることができるようになる。
【００７９】
本実施の形態では、開始金額からの差額をベースに線形に割り当てられるシェアを、適切に指定数倍に丸め、さらに最低シェア割合を閾値として切り捨て処理を実施している。これを行うことで、シェアについては入札額の低い上位の入札者に偏って割り当てられるようになる。
【００８０】
なお、入札処理部５６ｂは、初期設定データ格納部５３に格納されている入札の終了時刻が経過したか判断し（ステップＳ７３）、入札の終了時刻が経過していない場合には、入札受信部５４による入札受信を待つ（ステップＳ７５）。入札があれば、ステップＳ６３に戻る。入札の終了時刻が経過していれば、処理を終了する。
【００８１】
上では初期的な落札者数が「４」である例を示したが、初期的な落札者数が「３」や「２」であってもよい。
【００８２】
なお、本実施の形態については、初期的なシェア配分を開始金額からの差額に線形に設定するので線型モデルと呼ぶものとする。
【００８３】
［実施の形態３］
次に、本発明の第３の実施の形態を図２６乃至図３３を用いて説明する。本実施の形態におけるシステム構成は、基本的には図１に示したものと同じであって、図２６に示したように、入札サーバ５の入札処理部５６の代わりに入札処理部５６ｃが処理を行う。入札処理部５６ｃは、シェア補正部５８１と、発注シェア決定処理部５８２とを有する。
【００８４】
次に、図２７乃至図３３を用いて、本実施の形態に係る処理内容を説明する。まず、入札サーバ５の初期設定処理部５１は、発注者端末７からのアクセスに応じて、入札案件について必要な初期設定処理を実施する（図２７：ステップＳ１２１）。初期設定処理については、図３と同じである。従って、案件ＩＤ、案件名、カテゴリ、申込受付期間、入札期間、物品名称、購入予定数量、納期、開始金額、最小競下金額、及び入札者数が初期設定データ格納部５３に格納される。例えば、購入全体数量は「１００」、開始金額は「３０００００００」、最小競下額が「５０００００」であるものとする。
【００８５】
また、初期競争条件である初期的な落札者数も、初期設定データ格納部５３に格納する。例えば、初期的な落札者数は「４」であるものとする。
【００８６】
さらに、指定された初期競争条件に対応する初期順位配分シェア（以下、標準シェアと呼ぶこともある。）のデータが初期設定データ格納部５３に格納される。例えば、初期的な落札者数が「４」であるので、第１順位乃至第４順位までのシェア配分のデータが読み出され、初期設定データ格納部５３に格納される。
【００８７】
また、最低シェア割合が初期設定データ格納部５３に格納される。例えば最低シェア割合は「０」である。なお、割合や率（％）で設定するものについては実際の数量を設定するようにしても良い。
【００８８】
さらに、調整係数ｎが初期設定データ格納部５３に格納される。例えば、調整係数ｎ＝３で、調整対象根拠＝３＊５０００００＝１５０００００であるものとする。
【００８９】
そして、シェア調整割合が初期設定データ格納部５３に格納される。例えば、シェア調整割合は「５」であるものとする。
【００９０】
図２７の説明に戻って、入札者が本実施の形態とは別に決定され、入札期間が開始されたものとする。そして、入札受信部５４は、いずれかの入札者端末から入札データの入力Ｗｅｂページ・データの要求を受信するまで待ち、特定の入札者端末から入札データの入力Ｗｅｂページ・データの要求を受信すると、入札データの入力Ｗｅｂページ・データを要求元の入札者端末に送信する。入札データの入力Ｗｅｂページ・データの要求の前に、例えばログインなどの認証処理が完了しており、いずれの入札者による入札であるかを特定することができ、さらにいずれの案件ＩＤに係る案件について入札を行うのかについて指定されるものとする。
【００９１】
入札者端末は、入札サーバ５から入札データの入力Ｗｅｂページ・データを受信すると表示装置に表示し、入札者による入札金額の入力を促す。入札者は、入札者端末を操作して入札額を入力し、入札者端末は入札額の入力を受け付け、当該入札額を含む入札データを入札サーバ５に送信する。入札サーバ５の入札受信部５４は、入札者端末から入札データを受信し、案件ＩＤ、入札者ＩＤ及び入札額を入札データ格納部５５に格納する（ステップＳ１２３）。
【００９２】
そうすると、入札処理部５６ｃのシェア補正部５８１は、入札データ格納部５５に格納されている同じ案件ＩＤの入札データを読み出してソートし、１つ上位の順位の入札額との差額を算出し、処理結果格納部５７に格納する（ステップＳ１２５）。現在の入札状況の一例として、図２８に開始金額以下における入札者間の入札額の関係を示す。ここで入札額でソートすると、図３０Ａに示すようになる。図３０Ａのテーブルの列９０１及び列９０２に示すように、第１順位は入札者Ａであり、第２順位は入札者Ｅであり、第３順位は入札者Ｄであり、第４順位は入札者Ｂであり、第５順位は入札者Ｃである。そしてステップＳ１２５を実行すると、図３０Ａのテーブルの列９０３のデータが得られる。第２順位の差額は２位入札額−１位入札額で算出され、第３順位の差額は３位入札額−２位入札額で算出され、第４順位の差額は４位入札額−３位入札額で算出される。
【００９３】
そして、入札処理部５６ｃのシェア補正部５８１は、第２順位以下の各順位の入札について｛上位入札額との差額／最小競下額｝を算出し、第２順位から第４順位（すなわち、指定順位）までのいずれかについて｛上位入札額との差額／最小競下額｝＞調整係数ｎという条件が満たされているか判断する（ステップＳ１２７）。上位入札額との差額には、ステップＳ１２５で算出され且つ処理結果格納部５７に格納されている数値を用いる。最小競下額及び調整係数ｎは、初期設定データ格納部５３に格納されている値を用いる。なお、「｛」「｝」で囲った中の式については小数点以下を切り上げる。すなわち、入札額の各間隔が、調整係数及び最小競下額に基づき規定される間隔より大きくなっているかを確認するものである。図２８のような入札状態であれば、第１順位と第２順位との間は｛上位入札額との差額／最小競下額｝＝５、第２順位と第３順位との間は｛上位入札額との差額／最小競下額｝＝１、第３順位と第４順位との間は｛上位入札額との差額／最小競下額｝＝１２となる。この状態は図３０Ａのテーブルの列９０４に示されるとおりである。従って、第１順位と第２順位との間及び第３順位と第４順位との間はｎ＝３より大きいので、条件を満たしている。すなわち、差が大きくなってしまっている部分が存在する。
【００９４】
ステップＳ１２７の条件が満たされていない場合には、補正割合＝標準シェア（初期設定データ格納部５３から読み出す）に設定し、処理結果格納部５７に格納する（ステップＳ１２９）。そして、ステップＳ１３５に移行する。
【００９５】
一方、ステップＳ１２７の条件が満たされている場合には、シェア補正部５８１は、シェア補正処理を実施する（ステップＳ１３１）。このシェア補正処理については、図２９を用いて説明する。シェア補正部５８１は、開始金額と各順位（指定順位（ここでは第４順位））の入札額との差額を算出し、処理結果格納部５７に格納する（ステップＳ１４１）。図２８のような入札状態であれば、図３０Ｂのテーブルにおける列１００１に示されるような開始金額と各入札額との差額が算出され、格納される。
【００９６】
次に、シェア補正部５８１は、第１順位から指定順位までの差額の総和を算出し、処理結果格納部５７に格納する（ステップＳ１４３）。図３０Ｂのテーブルにおける列１００１の最下行の値（「２５５０００００」）が算出される。
【００９７】
そして、第２順位から指定順位までの補正割合を、当該順位の差額／差額総額＊１００で算出し、処理結果格納部５７に格納する（ステップＳ１４５）。上の例では、第２順位については「３０」、第３順位については「２８」、第４順位については「４」と算出される。なお、ここでは、小数点以下を切り捨てる。さらに、第１順位の補正割合を、第２順位から指定順位までの補正割合の総和の残余として算出し、処理結果格納部５７に格納する（ステップＳ１４７）。具体的には、１００−（第２順位から指定順位までの補正割合の総和）を算出する。上の例では図３０Ｂのテーブルの列１００３に示されるように、第１順位の補正割合は「３８」（＝１００−（３０＋２８＋４））となる。
【００９８】
さらに、第２順位から指定順位までの補正後シェアを、｛当該順位の補正割合／シェア調整割合｝＊シェア調整割合によって算出し、処理結果格納部５７に格納する（ステップＳ１４９）。ここで、「｛」「｝」で囲った中の式については小数点以下を切り下げる。これによって、補正後シェアをシェア調整割合の整数倍に修正している。これによって、第２順位の補正後シェアは「３０」、第３順位の補正後シェアは「２５」、第４順位の補正後シェアは「０」となる。さらに、第１順位の補正後シェアを、第２順位から指定順位までの補正後シェアの総和の残余として算出し、処理結果格納部５７に格納する（ステップＳ１５１）。具体的には、１００−（第２順位から指定順位までの補正後シェアの総和）を算出する。上の例では、図３０Ｂのテーブルの列１００４に示すように、第１順位の補正後シェアは、「４５」（＝１００−（３０＋２５＋０））と算出される。そして元の処理に戻る。
【００９９】
図２７の説明に戻って、発注シェア決定処理部５８２は、処理結果格納部５７に格納された補正後シェアのデータに基づき発注シェア決定処理を実施する（ステップＳ１３３）。発注シェア決定処理については図３１を用いて説明する。まず、発注シェア決定処理部５８２は、第２順位以下について補正後シェア≦最低シェア割合という条件が１つでも満たされているか判断する（ステップＳ１６１）。補正後シェアが最低シェア割合以下となる順位があると、他の順位についてシェアの調整が必要となるためである。従って、ステップＳ１６１の条件がいずれの順位についても満たされていない場合には、発注シェア＝補正後シェアとして処理結果格納部５７に格納する（ステップＳ１８３）。
【０１００】
一方、ステップＳ１６１の条件がいずれかの順位で満たされている場合には、指定順位（上の例では第４順位）の発注シェアを最低シェア割合（上の例では「０」）に設定し、処理結果格納部５７に格納する（ステップＳ１６３）。
【０１０１】
次に、ｉ＝指定順位−１と設定する（ステップＳ１６５）。上の例ではｉ＝３と設定される。そして、順位ｉの補正後シェア≦最低シェア割合という条件が満たされているか判断する（ステップＳ１６７）。上の例では、第３順位も補正後シェアが最低シェア割合以下であるか判断するものであって、上の例ではこの条件を満たさない。
【０１０２】
ステップＳ１６７の条件を満たさない場合には、順位ｉの発注シェアを、｛（１００−指定順位から順位ｉ＋１までの発注シェアの総和）＊順位ｉの補正後シェア／第１順位から順位ｉまでの補正後シェアの総和／シェア調整割合｝＊シェア調整割合で算出し、処理結果格納部５７に格納する（ステップＳ１７５）。なお、なお、「｛」「｝」で囲った中の式については小数点以下を切り下げる。例えばｉ＝３であれば、｛（１００−（０））＊２５／１００／５｝＊５＝２５と算出される。
【０１０３】
そしてｉ＝２であるか確認し、そうでなければｉを１デクリメントして（ステップＳ１７９）、ステップＳ１７５に戻る。上の例では、ｉ＝２となり、｛（１００−２５）＊３０／７５／５｝＊５＝３０と算出される。一方、ｉ＝２である場合にはステップＳ１８１に移行する。
【０１０４】
一方、ステップＳ１６７の条件を満たす場合には、順位ｉの発注シェア＝最低シェア割合として設定し、処理結果格納部５７に格納する（ステップＳ１６９）。そして、ｉ＝２となったか判断する（ステップＳ１７１）。ｉ＝２となっていない場合には、ｉを１デクリメントして（ステップＳ１７３）、ステップＳ１６７に戻る。一方、ｉ＝２になった場合にはステップＳ１８１に移行する。
【０１０５】
ステップＳ１８１では、第１順位の発注シェアを、第２順位から指定順位までの発注シェアの総和の残余として算出し、処理結果格納部５７に格納する（ステップＳ１８１）。具体的には、１００−（第２順位から指定順位までの発注シェアの総和）で算出する。上の例では、図３２に示すように、４５（＝１００−（３０＋２５））と算出される。これで元の処理に戻る。
【０１０６】
図３２の結果と標準シェア（図３０Ｂのテーブルの列１００２）と比較すれば、第２順位についてはシェアは変化していないが、第４順位の分がほぼ第１順位に上乗せされたことになる。また、第３順位についても若干増加しているが、開始金額からの差額に比例した補正割合からは若干減らされている。これはシェア調整割合で丸めているためである。図２８の入札状況を見れば、第４順位については第１順位から大きく離れているので、標準シェアを維持できなくなっており、その分上位の入札にシェアが配分されている。このように、たとえ落札者数までの順位に入っていようとも、第１順位の入札額から離れていればシェアを失うことになるので、できるだけ第１順位の入札額に近づけるように促されることになる。また、第１順位の入札についても、その入札額を下げれば、第４順位のシェアを奪うことができるようになるため、より低い額での入札が促される。第２順位及び第３順位についても同様である。但し、最低シェア割合を予め設定すれば、たとえ第１順位の入札額から大きく離れていても、最低発注数量の配分を受けることができる。
【０１０７】
このようにすれば、入札額の低い入札によりシェアが集まることになり、発注側は、複数調達先となる場合においても、全体コストをより引き下げることができるようになる。
【０１０８】
図２７の説明に戻って、入札結果出力部５８は、処理結果格納部５７に格納されたデータを用いて、入札者順位、発注シェア、入札額などのデータを含む入札結果Ｗｅｂページ・データを生成し、入札者端末や発注者端末７に送信する（ステップＳ１３５）。例えば、図３３に示すような表示を行うためのＷｅｂページ・データを生成する。図３３の例では、全ての入札者に全ての入札状況を示す場合の例を示している。すなわち、各社の入札額、順位、発注シェア（獲得配分比）とが全て示されている。なお、このように全ての情報をオープンにすれば、より低い金額での再入札を促すことになる。
【０１０９】
以上のような処理を実施することによって、複数の落札者を決定する場合においても、順位で固定的なシェアを決定するのではなく、各入札者の実際の入札額の分布／上下関係に基づきシェアを変動させて、入札額の競争を活発化させることで、調達コストを下げることができるようになる。
【０１１０】
なお、入札処理部５６ｃは、初期設定データ格納部５３に格納されている入札の終了時刻が経過したか判断し（ステップＳ１３７）、入札の終了時刻が経過していない場合には、入札受信部５４による入札受信を待つ（ステップＳ１３９）。入札があれば、ステップＳ１２３に戻る。入札の終了時刻が経過していれば、処理を終了する。
【０１１１】
上では初期的な落札者数が「４」である例を示したが、初期的な落札者数が「３」、「２」であってもよい。
【０１１２】
なお、本実施の形態については、開始金額との差を基準に線形な補正割合を算出し、それに基づき発注シェアを算出するので線型モデルと呼ぶものとする。
【０１１３】
［実施の形態４］
次に、本発明の第４の実施の形態を図３４乃至図４１を用いて説明する。本実施の形態におけるシステム構成は、基本的には図１に示したものと同じであって、図３４に示したように、入札サーバ５の入札処理部５６の代わりに入札処理部５６ｄが処理を行う。入札処理部５６ｄは、シェア補正部５９１と、第３の実施の形態における発注シェア決定処理部５８２とを有する。
【０１１４】
次に、図３５乃至図４１を用いて、本実施の形態に係る処理内容を説明する。まず、入札サーバ５の初期設定処理部５１は、発注者端末７からのアクセスに応じて、入札案件について必要な初期設定処理を実施する（図３５：ステップＳ１９１）。初期設定処理については、図３と同じである。従って、案件ＩＤ、案件名、カテゴリ、申込受付期間、入札期間、物品名称、購入予定数量、納期、開始金額、最小競下金額、及び入札者数が初期設定データ格納部５３に格納される。例えば、購入全体数量は「１００」、開始金額は「３０００００００」、最小競下額が「５０００００」であるものとする。
【０１１５】
また、初期競争条件である初期的な落札者数も、初期設定データ格納部５３に格納する。例えば、初期的な落札者数は「４」であるものとする。
【０１１６】
さらに、指定された初期競争条件に対応する初期順位配分シェア（以下、標準シェアと呼ぶこともある。）のデータが初期設定データ格納部５３に格納される。例えば、初期的な落札者数が「４」であるので、第１順位乃至第４順位までのシェア配分のデータが読み出され、初期設定データ格納部５３に格納される。
【０１１７】
また、最低シェア割合が初期設定データ格納部５３に格納される。例えば最低シェア割合は「０」である。なお、割合や率（％）で設定するものについては実際の数量を設定するようにしても良い。
【０１１８】
さらに、調整係数ｎが初期設定データ格納部５３に格納される。例えば、調整係数ｎ＝３で、調整対象根拠＝３＊５０００００＝１５０００００であるものとする。
【０１１９】
そして、シェア調整割合が初期設定データ格納部５３に格納される。例えば、シェア調整割合は「５」であるものとする。
【０１２０】
図３５の説明に戻って、入札者が本実施の形態とは別に決定され、入札期間が開始されたものとする。そして、入札受信部５４は、いずれかの入札者端末から入札データの入力Ｗｅｂページ・データの要求を受信するまで待ち、特定の入札者端末から入札データの入力Ｗｅｂページ・データの要求を受信すると、入札データの入力Ｗｅｂページ・データを要求元の入札者端末に送信する。入札データの入力Ｗｅｂページ・データの要求の前に、例えばログインなどの認証処理が完了しており、いずれの入札者による入札であるかを特定することができ、さらにいずれの案件ＩＤに係る案件について入札を行うのかについて指定されるものとする。
【０１２１】
入札者端末は、入札サーバ５から入札データの入力Ｗｅｂページ・データを受信すると表示装置に表示し、入札者による入札金額の入力を促す。入札者は、入札者端末を操作して入札額を入力し、入札者端末は入札額の入力を受け付け、当該入札額を含む入札データを入札サーバ５に送信する。入札サーバ５の入札受信部５４は、入札者端末から入札データを受信し、案件ＩＤ、入札者ＩＤ及び入札額を入札データ格納部５５に格納する（ステップＳ１９３）。
【０１２２】
そうすると、入札処理部５６ｄのシェア補正部５９１は、入札データ格納部５５に格納されている同じ案件ＩＤの入札データを読み出してソートし、開始金額との差額を算出し、処理結果格納部５７に格納する（ステップＳ１９５）。現在の入札状況の一例として、図３６に開始金額以下における入札者間の入札額の分布を示す。第１順位の入札者Ａから大きく離れて第２順位の入札者Ｅ及び第３順位の入札者Ｂが位置し、さらに大きく離れて第４順位の入札者Ｃと第５順位の入札者Ｄが位置するようになっている。ここで入札額でソートされると、図３７に示すようになる。図３７のテーブルの列１１０１及び列１１０２に示すように、第１順位は入札者Ａであり、第２順位は入札者Ｅであり、第３順位は入札者Ｂであり、第４順位は入札者Ｃであり、第５順位は入札者Ｄである。そしてステップＳ１９５を実行すると、図３８のテーブルの列１１０３のデータが得られる。すなわち、第１順位の差額は、開始金額−１位入札額で算出され、第２順位の差額は、開始金額−２位入札額で算出され、第３順位の差額は、開始金額−３位入札で算出され、第４順位の差額は、開始金額−４位入札である。
【０１２３】
そして、入札処理部５６ｄのシェア補正部５９１は、処理結果格納部５７に格納されている、開始金額と各順位の入札金額との差額の総和を算出し、処理結果格納部５７に格納する（ステップＳ１９７）。図３８のテーブルの列１１０３の最下行に本ステップの処理結果が示されている。
【０１２４】
その後、シェア補正部５９１は、｛（第１順位の差額−指定順位の差額）／最小競下額｝＞調整係数ｎという条件が満たされているか判断する（ステップＳ１９９）。第１順位の差額及び指定順位（上の例では第４順位）の差額には、ステップＳ１９７で算出され且つ処理結果格納部５７に格納されている数値を用いる。最小競下額及び調整係数ｎは、初期設定データ格納部５３に格納されている値を用いる。なお、「｛」「｝」で囲った中の式については小数点以下を切り上げる。
【０１２５】
このように、第１順位の差額と指定順位の差額が、調整係数ｎ及び最小競下額に基づき規定される間隔より大きくなっているかを確認するものである。図３６のような入札状態であれば、第１順位の差額と第４順位の差額は「１５５０００００」であり、最小競下額が「５０００００」であるから、調整係数ｎ＝３を超えるのは明らかである。従って、ステップＳ１９９の条件を満たしていることになる。
【０１２６】
ステップＳ１９９の条件が満たされていない場合には、補正割合＝標準シェア（初期設定データ格納部５３から読み出す）に設定し、処理結果格納部５７に格納する（ステップＳ２０１）。そして、ステップＳ２０７に移行する。
【０１２７】
一方、ステップＳ１９９の条件が満たされている場合には、シェア補正部５９１は、シェア補正処理を実施する（ステップＳ２０３）。このシェア補正処理については、図３９を用いて説明する。シェア補正部５９１は、各順位について、（各順位の差額／差額平均−１）＊標準シェア中央値を補正割合として算出し、処理結果格納部５７に格納する（図３９：ステップＳ２１５）。差額平均は、差額総和／指定順位（上の例では３７００００００／４＝９２５００００）で算出される。ここでは、補正割合を小数点２位以下切り上げで取り扱う。そうすると、例えば図３８のテーブルの列１１０５に示されるような補正割合が得られる。
【０１２８】
次に、シェア補正部５９１は、第２順位から指定順位までについて、当該順位の標準シェア割合＋当該順位の補正割合によって補正後シェアを算出し、処理結果格納部５７に格納する（ステップＳ２１７）。なお、小数点以下を切り捨てる。図３８の例では、列１１０４及び１１０５の値を加算することによって、第２順位の補正後シェアは「３３」、第３順位の補正後シェアは「２２」、第４順位の補正後シェアは「−１３」となる。
【０１２９】
さらに、第２順位から指定順位までの補正後シェアの総和の残余を第１順位の補正後シェアとして算出し、処理結果格納部５７に格納する（ステップＳ２１９）。具体的には、１００−（第２順位から指定順位までの補正後シェアの総和）で算出される。上の例では、図３８のテーブルの列１１０６に示されるように「５８」となる。そして元の処理に戻る。
【０１３０】
図３５の説明に戻って、次に発注シェア決定処理部５８２は、処理結果格納部５７に格納されている補正後シェアを用いて発注シェア決定処理を実施する（ステップＳ２０５）。この処理については第３の実施の形態における図３１と同じであるから詳細な説明については省略する。なお、処理結果は、図４０に示すようになる。標準シェアと比較すると第１順位の入札にシェアが偏るようになっている。これは、図３６に示されているように、第１順位と第２順位及び第３順位との入札額には大きな差があり、さらに第３順位と第４順位との差も大きいためである。
【０１３１】
このように、落札者数で指定される順位に入っていても、第１順位の入札額と大きな差があれば、シェアを失うこととなり、落札者数で指定される順位に入っているだけではなく、より低い入札額が必要となる。さらに、第１順位の入札額についてもより低くすることによって、下位の入札者からシェアを奪うことができるため、より低い入札額の入札が促される。第２順位及び第３順位などについても同様である。
【０１３２】
このようにすれば、入札額の低い入札に、よりシェアが集まることになり、発注側は、複数調達先となる場合においても、全体コストをより引き下げることができるようになる。
【０１３３】
図３５の説明に戻って、入札結果出力部５８は、処理結果格納部５７に格納されたデータを用いて、入札者順位、発注シェア、入札額などのデータを含む入札結果Ｗｅｂページ・データを生成し、入札者端末や発注者端末７に送信する（ステップＳ２０７）。例えば、図４１に示すような表示を行うためのＷｅｂページ・データを生成する。図４１の例では、全ての入札者に全ての入札状況を示す場合の例を示している。すなわち、各社の入札額、順位、発注シェア（獲得配分比）とが全て示されている。なお、このように全ての情報をオープンにすれば、より低い金額での再入札を促すことになる。
【０１３４】
以上のような処理を実施することによって、複数の落札者を決定する場合においても、順位で固定的なシェアを決定するのではなく、各入札者の実際の入札額の分布／上下関係に基づきシェアを変動させて、入札額の競争を活発化させることで、調達コストを下げることができるようになる。
【０１３５】
なお、入札処理部５６ｄは、初期設定データ格納部５３に格納されている入札の終了時刻が経過したか判断し（ステップＳ２０９）、入札の終了時刻が経過していない場合には、入札受信部５４による入札受信を待つ（ステップＳ２１１）。入札があれば、ステップＳ１９３に戻る。入札の終了時刻が経過していれば、処理を終了する。
【０１３６】
上では初期的な落札者数が「４」である例を示したが、初期的な落札者数が「３」、「２」であってもよい。
【０１３７】
なお、本実施の形態については、開始金額との差額及び差額平均を基準に線形な補正割合を算出し、それに基づき発注シェアを算出するので線型モデルと呼ぶものとする。
【０１３８】
［実施の形態５］
次に、本発明の第５の実施の形態を図４２乃至図４７を用いて説明する。本実施の形態におけるシステム構成は、基本的には図１に示したものと同じであって、図４２に示したように、入札サーバ５の入札処理部５６の代わりに入札処理部５６ｅが処理を行う。入札処理部５６ｅは、シェア補正部６０１と、第３の実施の形態における発注シェア決定処理部５８２とを有する。
【０１３９】
処理フローについては、第４の実施の形態とほぼ同じであって、メインフローの図３５、初期設定処理の図３（第１の実施の形態）及び発注シェア決定処理の図３１（第３の実施の形態）については同じである。従って、シェア補正部６０１の処理内容について図４３乃至図４７を用いて説明する。なお、図４４及び図４５に示すような入札状況においては、開始金額と各順位の差額は図４６のテーブルの列１２０１に示すように算出される。差額の総和についても同列に示された値が算出される。さらに、第１順位の差額と指定順位（ここでは第４順位）の差額との差は、最小競下額及び調整係数ｎとで規定される幅より大きくなっているので、この例ではシェア補正処理を実施する必要がある。
【０１４０】
そして、シェア補正部６０１は、第１順位から指定順位までの各々につき、（当該順位の差額−差額平均）／標準偏差＋標準シェアによって補正割合を算出し、処理結果格納部５７に格納する（ステップＳ２２１）。なお、差額平均は、差額総額／指定順位で算出され、標準偏差は、（１／ｎ＊Σi（順位ｉの差額−差額平均）2）1/2で算出される。標準シェアは、初期設定データ格納部５３に格納されているデータを用いる。このように（当該順位の差額−差額平均）が何標準偏差分であるかを基準に標準シェアを補正している。上の例では、図４６のテーブルの列１２０３に示されるような値が算出される。
【０１４１】
その後、第２順位から指定順位までの各順位について、｛当該順位の補正割合／シェア調整割合｝＊シェア調整割合によって補正後シェアを算出し、処理結果格納部５７に格納する（ステップＳ２２３）。なお、「｛」「｝」で囲った中の式については小数点以下を切り捨てる。シェア調整割合単位にシェアを丸める処理を実施する。
【０１４２】
さらに、第１順位の補正後シェアを、第２順位から指定順位までの補正後シェアの総和の残余として算出し、処理結果格納部５７に格納する（ステップＳ２２５）。具体的には、１００−（第２順位から指定順位までの補正後シェアの総和）にて算出される。そうすると、図４６のテーブルの列１２０４に示されるような値が算出される。
【０１４３】
その後発注シェア決定処理を実施すると、図４７に示すような発注シェアが算出されるようになる。図４４及び図４５から分かるように、第２順位から第４順位については差があまりないため、第４順位の入札についてもシェアが割り当てられている。但し、標準シェアよりは減らされており、第１順位の入札に上乗せされている。
【０１４４】
以上のような処理を実施することによって、複数の落札者を決定する場合においても、順位で固定的なシェアを決定するのではなく、各入札者の実際の入札額の上下関係に基づきシェアを変動させて、入札額の競争を活発化させることで、調達コストを下げることができるようになる。
【０１４５】
上では初期的な落札者数が「４」である例を示したが、初期的な落札者数が「３」、「２」であってもよい。
【０１４６】
なお、本実施の形態については、開始金額との差額及び標準偏差を基準に線形な補正割合を算出し、それに基づき発注シェアを算出するので線型モデルと呼ぶものとする。
【０１４７】
［実施の形態６］
次に、本発明の第６の実施の形態を図４８乃至図５４を用いて説明する。なお、本実施の形態は、第１の実施の形態を変形させたものである。よって、本実施の形態におけるシステム構成は、基本的には図１に示したものと同じであって、図４８に示したように、初期設定処理部５１の代わりに初期設定処理部５１ｃが処理を行い、入札処理部５６の代わりに入札処理部５６ｆが処理を行う。初期設定データ格納部５３の代わりに初期設定データ格納部５３ｃが用いられる。入札処理部５６ｆは、シェア補正部６１１と、第１の実施の形態における発注シェア決定処理部５６２とを有する。
【０１４８】
図２に示した、第１の実施の形態におけるメインの処理フローは、本実施の形態でも同じである。但し、初期設定処理部５１ｃによる初期設定処理は図４９に示すような処理に変更となる。
【０１４９】
具体的には、まず、初期設定処理部５１ｃは、発注者端末７に対して、案件ＩＤ、案件名、カテゴリ、申込受付期間、入札期間、物品名称、購入予定数量、納期、開始金額、最小競下金額、入札者数などの入力欄を有するウェブ（Ｗｅｂ）ページ・データを送信し、発注者端末７はこのようなＷｅｂページ・データを受信して表示装置に表示する。そうすると、発注者は発注者端末７を操作して入力欄に対してこれらのデータの入力を行い、発注者端末７はこれらのデータの入力を受け付けて、入札サーバ５に送信する。入札サーバ５の初期設定処理部５１ｃは、発注者端末７から上記のようなデータを受信すると、初期設定データ格納部５３ｃに格納する（ステップＳ２３１）。申込受付期間は、入札の前に、入札の申込をするための期間であって、本実施の形態には直接は関係がない。また、本実施の形態では、申込みに応じて入札者数を絞り込むため、入札者数が指定される。なお、購入全体数量は「１００」、開始金額は「３０００００００」、最小競下額が「５０００００」であるものとする。
【０１５０】
次に、初期設定処理部５１ｃは、発注者端末７に対して、初期競争条件の入力欄を有するＷｅｂページ・データを送信し、発注者端末７はこのようなＷｅｂページ・データを受信し、表示装置に表示する。そうすると、発注者は発注者端末７を操作して入力欄に、初期競争条件である初期的な落札者数を入力し、発注者端末７はこのデータ入力を受け付け、入札サーバ５に送信する。入札サーバ５の初期設定処理部５１ｃは、発注者端末７から初期競争条件データを受信し、初期設定データ格納部５３ｃに格納する（ステップＳ２３３）。このように本実施の形態でも、複数落札者が存在することとなる。但し、以下で述べる処理によっては、指定された落札者数に満たない場合も生じ得る。従って「初期」競争条件とされている。例えば、初期的な落札者数は「４」であるものとする。
【０１５１】
さらに、初期設定処理部５１ｃは、指定された初期競争条件に対応する初期順位配分シェア（以下、標準シェアと呼ぶこともある。）のデータを諸元・定数ＤＢ５２から読み出し、初期設定データ格納部５３ｃに格納する（ステップＳ２３５）。ここでは、例えば初期的な落札者数が「４」であるので、第１順位乃至第４順位までのシェア配分のデータが読み出されるものとする。
【０１５２】
また、初期設定処理部５１ｃは、発注者端末７に対して、最低シェア割合の入力欄を有するＷｅｂページ・データを送信し、発注者端末７はこのようなＷｅｂページ・データを受信し、表示装置に表示する。そうすると、発注者は発注者端末７を操作して入力欄に、最低シェア割合を入力し、発注者端末７はこのデータ入力を受け付け、入札サーバ５に送信する。入札サーバ５の初期設定処理部５１ｃは、発注者端末７から最低シェア割合のデータを受信し、初期設定データ格納部５３ｃに格納する（ステップＳ２３７）。ここでは最低シェア割合は、「０」であるものとする。なお、割合や率（％）で設定するものについては実際の数量を設定するようにしても良い。
【０１５３】
さらに、初期設定処理部５１ｃは、発注者端末７に対して、傾斜係数の入力欄を有するＷｅｂページ・データを送信し、発注者端末７はこのようなＷｅｂページ・データを受信し、表示装置に表示する。そうすると、発注者は発注者端末７を操作して入力欄に、傾斜係数を入力し、発注者端末７はこのデータ入力を受け付け、入札サーバ５に送信する。入札サーバ５の初期設定処理部５１ｃは、発注者端末７から傾斜係数のデータを受信し、初期設定データ格納部５３ｃに格納する（ステップＳ２３９）。傾斜係数は、以下で説明する処理において、第１順位の入札額との差額を１以上であれば強調、１未満であれば緩和するなどの調整のために用いられる。ここでは傾斜係数＝０．８であるものとする。
【０１５４】
また、初期設定処理部５１ｃは、発注者端末７に対して、調整係数ｎの入力欄を有するＷｅｂページ・データを送信し、発注者端末７はこのようなＷｅｂページ・データを受信し、表示装置に表示する。そうすると、発注者は発注者端末７を操作して入力欄に、調整係数ｎを入力し、発注者端末７はこのデータ入力を受け付け、入札サーバ５に送信する。入札サーバ５の初期設定処理部５１ｃは、発注者端末７から調整係数ｎ（整数）のデータを受信し、初期設定データ格納部５３ｃに格納する（ステップＳ２４１）。調整係数ｎは、以下で説明する処理において、調整のために用いられる。なお、調整対象根拠という数値も用いられ、最小競下金額＊ｎで算出され、この値についても初期設定データ格納部５３ｃに格納されるものとする。ここでは、調整係数ｎ＝３で、調整対象根拠＝３＊５０００００＝１５０００００であるものとする。
【０１５５】
そして、また、初期設定処理部５１ｃは、発注者端末７に対して、シェア調整割合の入力欄を有するＷｅｂページ・データを送信し、発注者端末７はこのようなＷｅｂページ・データを受信し、表示装置に表示する。そうすると、発注者は発注者端末７を操作して入力欄に、シェア調整割合を入力し、発注者端末７はこのデータ入力を受け付け、入札サーバ５に送信する。入札サーバ５の初期設定処理部５１ｃは、発注者端末７からシェア調整割合のデータを受信し、初期設定データ格納部５３ｃに格納する（ステップＳ２４３）。シェア調整割合は、以下で説明する処理において、シェア調整を行う際の最小単位を示す。なお、ここでは、シェア調整割合は「５」であるものとする。
【０１５６】
次に、入札処理部５６ｆのシェア補正部６１１の処理について図５０乃至図５４を用いて説明する。なお、この前の段階として、入札データ格納部５５に格納されている同じ案件ＩＤの入札データを読み出してソートし、第１順位の入札額との差額が計算されている。そして、シェア補正部６１１は、第２順位から指定順位（上の例では第４順位）までの各順位について、第１順位との入札差額／最小競下額＞調整係数ｎという条件が満たされているか判断する（ステップＳ２５１）。なお左辺については小数点以下を切り捨てる。本ステップは、第１順位との差額が、最小競下額及び調整係数ｎで規定される額を超えるほど大きくなっているのかを判断するものである。
【０１５７】
例えば図５１及び図５２に示すような入札状況である場合、第２順位でも、第１順位から最小競下額及び調整係数ｎで規定される額を表す範囲Ｙを超えて離れていることが分かる。また、図５３のテーブルの列１３０１に示すような第１順位との差額が算出されるので、第２順位の第１順位との差額は「５５０００００」であって、ｎ＝３で最小競下額＝５０００００であるとするならば、ｎ＊最小競下額＝１５０００００であるから、この点においても、第２順位の第１順位との差額がステップＳ２５１の条件を満たしてしまっている。
【０１５８】
処理の説明に戻って、ステップＳ２５１の条件が満たされていない順位については、補正割合を０に設定し、処理結果格納部５７に格納する（ステップＳ２５３）。一方、ステップＳ２５１の条件が満たされている、第２順位から指定順位までの順位の補正割合を、（（第１順位の入札額との差額）傾斜係数／（最小競下額＊ｎ）傾斜係数）＊シェア調整割合＊（−１）で算出し、処理結果格納部５７に格納する（ステップＳ２５５）。なお、小数点以下を切り上げる。ただし切り捨ててもよい。このような傾斜係数によるべき乗計算を実施することによって、第１順位の入札額との差額をより強調又は緩和することができるようになる。
【０１５９】
さらに、第１順位の補正割合については、Σ（第２順位から指定順位までの補正割合）＊（−１）で計算し、処理結果格納部５７に格納する（ステップＳ２５７）。ここまで実施すると、上で述べた例では、図５３のテーブルの列１３０３に示すような補正割合が算出される。上で述べたように、第２順位乃至第４順位については、ステップＳ２５１の条件が満たされていないので、第２順位乃至第４順位は負の値となる。その分正の値となるのは第１順位の入札のみである。
【０１６０】
次に、各順位について、標準シェア（例えば図５３のテーブルの列１３０２）＋補正割合（例えば図５３のテーブルの列１３０３）によって補正後シェアを算出し、処理結果格納部５７に格納する（ステップＳ２５９）。例えば図５３のテーブルの列１３０４のような数値が算出される。この段階では、第３順位以下が０以下であり、第１順位については１００を超えてしまっている。このように、第１順位の入札額との差額を強調する形で、補正後シェアが算出されている。
【０１６１】
このように、第１順位にシェアをより上乗せするための処理が行われる。このようにすれば、第１順位により近い金額での入札を促すことになり、発注側では調達コストの削減が可能となる。第１順位についてもより低い金額での入札を行って差が大きくなれば、より多くのシェアを得ることができるようになり、入札額低下を促すことができるようになる。
【０１６２】
以下、発注シェア決定処理部５６２が発注シェア決定処理を実施し、図５４に示すような発注シェアが算出される。上で述べたように第１順位のシェアは突出しており、第１順位の有利さが強調されている。
【０１６３】
上では初期的な落札者数が「４」である例を示したが、初期的な落札者数が「３」、「２」であってもよい。
【０１６４】
なお、本実施の形態については、傾斜係数によるべき乗を用いているので非線形モデルと呼ぶものとする。
【０１６５】
［実施の形態７］
次に、本発明の第７の実施の形態を図５５乃至図６１を用いて説明する。なお、本実施の形態は、第２の実施の形態を変形させたものである。よって、本実施の形態におけるシステム構成は、基本的には図１に示したものと同じであって、図５５に示したように、初期設定処理部５１の代わりに初期設定処理部５１ｄが処理を行い、入札処理部５６の代わりに入札処理部５６ｇが処理を行う。初期設定データ格納部５３の代わりに初期設定データ格納部５３ｄが用いられる。入札処理部５６ｇは、シェア試算部６２１と、第２の実施の形態におけるシェア補正部５７２と、第２の実施の形態における発注シェア決定処理部５７３とを有する。
【０１６６】
図１７に示した、第２の実施の形態におけるメインの処理フローは、本実施の形態でも同じである。但し、初期設定処理部５１ｄによる初期設定処理は図５６に示すような処理に変更となる。
【０１６７】
本実施の形態における初期設定処理部５１ｄは、発注者端末７に対して、案件ＩＤ、案件名、カテゴリ、申込受付期間、入札期間、物品名称、購入予定数量、納期、開始金額、最小競下金額、入札者数などの入力欄を有するウェブ（Ｗｅｂ）ページ・データを送信し、発注者端末７はこのようなＷｅｂページ・データを受信して表示装置に表示する。そうすると、発注者は発注者端末７を操作して入力欄に対してこれらのデータの入力を行い、発注者端末７はこれらのデータの入力を受け付けて、入札サーバ５に送信する。入札サーバ５の初期設定処理部５１ｄは、発注者端末７から上記のようなデータを受信すると、初期設定データ格納部５３ｄに格納する（ステップＳ２６１）。上で述べたステップＳ２１と同様の処理である。なお、購入全体数量は「１００」、開始金額は「３００００００００」、最小競下額が「５０００００」であるものとする。
【０１６８】
次に、初期設定処理部５１ｄは、発注者端末７に対して、シェア配分条件の入力欄を有するＷｅｂページ・データを送信し、発注者端末７はこのようなＷｅｂページ・データを受信し、表示装置に表示する。そうすると、発注者は発注者端末７を操作して入力欄に、シェア配分条件であるシェア配分単位及び最低シェア配分を入力し、発注者端末７はこのデータ入力を受け付け、入札サーバ５に送信する。入札サーバ５の初期設定処理部５１ｄは、発注者端末７からシェア配分条件データを受信し、初期設定データ格納部５３ｄに格納する（ステップＳ２６３）。ここでは、例えばシェア配分単位が「５」であり、最低シェア配分が「０」であるものとする。ここでは割合や率（％）の数値を入力しているが、実際の数量を入力させるようにしても良い。
【０１６９】
さらに、初期設定処理部５１ｄは、発注者端末７に対して、傾斜係数の入力欄を有するＷｅｂページ・データを送信し、発注者端末７はこのようなＷｅｂページ・データを受信し、表示装置に表示する。そうすると、発注者は発注者端末７を操作して入力欄に、傾斜係数を入力し、発注者端末７はこのデータ入力を受け付け、入札サーバ５に送信する。入札サーバ５の初期設定処理部５１ｄは、発注者端末７から傾斜係数のデータを受信し、初期設定データ格納部５３ｄに格納する（ステップＳ２６５）。傾斜係数は、以下で説明する処理において、第１順位の入札額との差額を強調するなどの調整のために用いられる。ここでは傾斜係数＝２であるものとする。
【０１７０】
本実施の形態においても、複数落札者が存在することを前提とするが、ここでは予め初期的な落札者数は固定で設定されているものとする。但し、発注者に設定させるようにしても良い。例えば、初期的な落札者数は「４」であるものとする。
【０１７１】
次に、入札処理部５６ｇのシェア試算部６２１は、入札データ格納部５５に格納された入札データに対して、シェア試算処理を実施する。シェア試算処理については、図５７を用いて説明する。シェア試算部６２１は、入札データ格納部５５に格納されている同じ案件ＩＤの入札データを読み出してソートし、開始金額と各順位（例えば所定順位まで）の入札額との差を算出し、処理結果格納部５７に格納する（ステップＳ２７１）。例えば図５８に示すような入札状況の場合には、図５９に示すような入札の順位付けが行われる。また、図６０のテーブルの列１４０１に示されるような開始金額と入札額との差が算出される。
【０１７２】
次に、第１位順位から所定順位（例えば第４順位）までについてステップＳ２７１で算出された差額の総和（差額総額とも呼ぶ）を算出し、処理結果格納部５７に格納する（ステップＳ２７３）。図６０のテーブルの列１４０１の最下行に示すように、上位４者の合計が算出される。
【０１７３】
そして、第２順位から所定順位（例えば第４順位）までの補正割合を、（当該順位の差額）傾斜係数／（差額総額）傾斜係数で算出し、処理結果格納部５７に格納する（ステップＳ２７５）。差額と差額総額との比の、傾斜係数によるべき乗によって補正割合が算出される。このように傾斜係数によるべき乗で各順位の差額を強調又は緩和するようになっている。なお、小数点第３位以下切り捨てとする。図６０のテーブルの列１４０２に示すような値が算出される。
【０１７４】
さらに、第１順位のシェア配分割合を、第２順位から所定順位までの補正割合の総和の残余として算出し、処理結果格納部５７に格納する（ステップＳ２７７）。具体的には、１００−（第２順位から所定順位までの補正割合の総和）で算出される。図６０のテーブルの列１４０２に示すような値が算出される。
【０１７５】
そして、第２順位から所定順位までの試算発注数量を、購入全体数量＊当該順位の補正割合で算出し、処理結果格納部５７に格納する（ステップＳ２７９）。図６０のテーブルの列１４０３に示すような値が算出される。
【０１７６】
また、第１順位の試算発注数量を、第２順位から所定順位までの試算発注数量の総和の残余として算出し、処理結果格納部５７に格納する（ステップＳ２８１）。具体的には、購入全体数量−（第２順位から所定順位までの試算発注数量の総和）で算出される。図６０のテーブルの列１４０３に示すような値が算出される。
【０１７７】
このように図５８に示した入札状況では、第１順位と第２順位との間はそれほど大きくはないが、図６０のテーブルの列１４０３では、大きな差となって現れてきている。これは、傾斜係数によるべき乗計算で第１順位により多くのシェアを与えるようになっているためである。従って、第１順位以外の各順位についてはできるだけ入札額を第１順位の入札額に近づけることが促される。第１順位であっても、より低い入札額にすれば、より多くのシェアが割り当てられることになるので、第１順位についてもより低い入札額が促される。よって、発注側はよりコストを削減することができるようになる。
【０１７８】
以下、シェア補正部５７２及び発注シェア決定処理部５７３がシェア補正処理及び発注シェア決定処理を実施し、図６１に示すような発注シェアが算出される。上で述べたように第１順位のシェアは突出しており、第１順位の有利さが強調されている。
【０１７９】
上では初期的な落札者数が「４」である例を示したが、初期的な落札者数が「３」、「２」であってもよい。
【０１８０】
なお、本実施の形態についても、傾斜係数によるべき乗を用いているので非線形モデルと呼ぶものとする。
【０１８１】
［実施の形態８］
次に、本発明の第８の実施の形態を図６２乃至図６７を用いて説明する。なお、本実施の形態は、第３の実施の形態を変形させたものである。よって、本実施の形態におけるシステム構成は、基本的には図１に示したものと同じであって、図６２に示したように、初期設定処理部５１の代わりに、第６の実施の形態における初期設定処理部５１ｃが処理を行い、入札処理部５６の代わりに入札処理部５６ｈが処理を行う。また、初期設定データ格納部５３の代わりに、第６の実施の形態における初期設定データ格納部５３ｃが用いられる。入札処理部５６ｈは、シェア補正部６３１と、第３の実施の形態における発注シェア決定処理部５８２とを有する。
【０１８２】
図２７に示した、第３の実施の形態におけるメインの処理フローは、本実施の形態でも同じである。また、初期設定処理部５１ｃによる初期設定処理は、第６の実施の形態に係る図４９に示したものと同じである。さらに、発注シェア決定処理部５８２による発注シェア決定処理は、第３の実施の形態に係る図３１に示したものと同じである。従って、シェア補正部６３１によるシェア補正処理のみが異なっている。
【０１８３】
シェア補正処理について図６３乃至図６７を用いて説明する。なお、初期設定データ格納部５３ｃに格納されるデータ例は、第６の実施の形態におけるものと同様である。また、図６４並びに図６５のテーブルの列１５０１及び１５０２に示すような入札状況で、１つ上の順位の入札額との差は、図６５のテーブルの列１５０３に示すような値となる。その場合、上位との差を最小競下額で除した値が調整係数ｎ（＝３）未満となっているかが、図６５のテーブルの列１５０４に示されている。これによると、ｎ以下となっていない部分もあるので、このような入札状況では、シェア補正処理が実施される。
【０１８４】
そこで、シェア補正部６３１は、開始金額と各順位（第１順位から指定順位まで）の入札額との差額を算出し、処理結果格納部５７に格納する（ステップＳ２９１）。例えば図６６のテーブルの列１５１１に示すような値が算出される。また、第１順位から指定順位までの差額の総和を算出し、処理結果格納部５７に格納する（ステップＳ２９３）。図６６のテーブルの列１５１１の最下行に示される値が算出される。
【０１８５】
また、第１順位から指定順位までの各順位につき、（当該順位の差額）傾斜係数／（差額総額）傾斜係数＊１００により補正割合を算出し、処理結果格納部５７に格納する（ステップＳ２９５）。例えば図６６のテーブルの列１５１３に示される値が算出される。このように、差額と差額総和との比の、傾斜係数によるべき乗に基づき、補正割合が算出される。ここでは傾斜係数＝２であるものとする。
【０１８６】
さらに、第２順位から指定順位までの各順位につき、シェア調整割合（本例では５）単位にするため、｛当該順位の補正割合／補正割合の総和／シェア調整割合｝＊シェア調整割合により補正後シェアを算出し、処理結果格納部５７に格納する（ステップＳ２９７）。なお、「｛」「｝」で囲った中の式については小数点以下を切り捨てる。
【０１８７】
そして、第１順位の補正後シェアを、第２順位から指定順位までの補正後シェアの総和の残余として算出し、処理結果格納部５７に格納する（ステップＳ２９９）。具体的には、１００−（第２順位から指定順位までの補正後シェアの総和）を算出する。
【０１８８】
このような処理を実施することによって、図６６のテーブルの列１５１４に示すような数値が算出される。標準シェア（列１５１２）と比較すれば、第１順位の入札額を大きく上回る第４順位のシェアがなくなり、第１順位のシェアに上乗せされている。また、第２順位も第１順位の入札額より比較的離れているので、第２順位についてもシェアが減らされているが、その第２順位に近接する入札額の第３順位についてはシェアが増加している。但し、最低シェア割合を予め設定すれば、たとえ第１順位の入札額から大きく離れていても、最低発注シェアの配分を受けることができるようになる。
【０１８９】
このように上位の入札の入札額から大きく離れないような入札額で入札することが促され、全体としてより低い入札額の入札が促される。よって、発注側は調達コストを下げることができるようになる。
【０１９０】
なお、発注シェア決定処理を実施すると、図６７に示すような発注シェアが算出されるようになる。
【０１９１】
上では初期的な落札者数が「４」である例を示したが、初期的な落札者数が「３」、「２」であってもよい。
【０１９２】
また、本実施の形態についても、傾斜係数によるべき乗を用いているので非線形モデルと呼ぶものとする。
【０１９３】
［実施の形態９］
次に、本発明の第９の実施の形態を図６８乃至図７３を用いて説明する。なお、本実施の形態は、第４の実施の形態を変形させたものである。よって、本実施の形態におけるシステム構成は、基本的には図１に示したものと同じであって、図６８に示したように、初期設定処理部５１の代わりに、第６の実施の形態における初期設定処理部５１ｃが処理を行い、入札処理部５６の代わりに入札処理部５６ｊが処理を行う。また、初期設定データ格納部５３の代わりに、第６の実施の形態における初期設定データ格納部５３ｃが用いられる。入札処理部５６ｊは、シェア補正部６４１と、第３及び第４の実施の形態における発注シェア決定処理部５８２とを有する。
【０１９４】
図３５に示した、第４の実施の形態におけるメインの処理フローは、本実施の形態でも同じである。また、初期設定処理部５１ｃによる初期設定処理は、第６の実施の形態に係る図４９に示したものと同じである。さらに、発注シェア決定処理部５８２による発注シェア決定処理は、第３の実施の形態に係る図３１に示したものと同じである。従って、シェア補正部６４１によるシェア補正処理のみが異なっている。
【０１９５】
シェア補正処理について図６９乃至図７３を用いて説明する。なお、初期設定データ格納部５３ｃに格納されるデータ例は、第６の実施の形態におけるものと同様である。また、図７０及び図７１に示すような入札状況で、開始価格との差額は、図７２のテーブルの列１５２１に示すような値となる。
【０１９６】
そして、シェア補正部６４１は、各順位につき、補正割合を、（各順位の差額）傾斜係数／（平均（各順位の差額傾斜係数）−１）＊標準シェア中央値により算出し、処理結果格納部５７に格納する（ステップＳ３０１）。各順位の差額を傾斜係数乗したものの平均から１を差し引いた値を分母にしている。また、小数点２位以下を切り上げる。例えば図７２のテーブルの列１５２３に示すような値が算出される。ここでは傾斜係数＝２であるものとする。
【０１９７】
また、第２順位から指定順位までの各補正後シェアを、当該順位の標準シェア＋当該順位の補正割合で算出し、処理結果格納部５７に格納する（ステップＳ３０３）。小数点以下は切り捨てる。なお、本ステップにおいて、調整係数単位に数値を丸めるようにしてもよい。さらに、第１順位の補正後シェアを、第２順位から指定順位までの補正後シェアの総和の残余によって算出し、処理結果格納部５７に格納する（ステップＳ３０５）。具体的には、１００−（第２順位から指定順位までの補正後シェアの総和）により算出する。これにより図７２のテーブルの列１５２４に示されるような値が算出される。
【０１９８】
このようにすれば、標準シェアが、各順位における開始価格との差額を傾斜係数乗した値に基づく補正割合によって調整されるようになっている。なお、補正割合の算出式の分母は、各順位における開始価格との差額を傾斜係数乗した値の平均値に基づく値となっている。よって、大まかに言えば、開始価格との差額がその平均を上回わるほど補正割合の値がより大きくなるようになっている。
【０１９９】
このように上位の入札の入札額から大きく離れないような入札額で入札することが促され、全体としてより低い入札額の入札が促される。よって、発注側は調達コストを下げることができるようになる。
【０２００】
なお、発注シェア決定処理を実施すると、図７３に示すような発注シェアが算出されるようになる。
【０２０１】
上では初期的な落札者数が「４」である例を示したが、初期的な落札者数が「３」、「２」であってもよい。
【０２０２】
また、本実施の形態についても、傾斜係数によるべき乗を用いているので非線形モデルと呼ぶものとする。
【０２０３】
［実施の形態１０］
次に、本発明の第１０の実施の形態を図７４乃至図７９を用いて説明する。なお、本実施の形態は、第５の実施の形態を変形させたものである。よって、本実施の形態におけるシステム構成は、基本的には図１に示したものと同じであって、図７４に示したように、初期設定処理部５１の代わりに、第６の実施の形態における初期設定処理部５１ｃが処理を行い、入札処理部５６の代わりに入札処理部５６ｋが処理を行う。また、初期設定データ格納部５３の代わりに、第６の実施の形態における初期設定データ格納部５３ｃが用いられる。入札処理部５６ｋは、シェア補正部６５１と、第３及び第４の実施の形態における発注シェア決定処理部５８２とを有する。
【０２０４】
図３５に示した、第４及び第５の実施の形態におけるメインの処理フローは、本実施の形態でも同じである。また、初期設定処理部５１ｃによる初期設定処理は、第６の実施の形態に係る図４９に示したものと同じである。さらに、発注シェア決定処理部５８２による発注シェア決定処理は、第３の実施の形態に係る図３１に示したものと同じである。従って、シェア補正部６５１によるシェア補正処理のみが異なっている。
【０２０５】
シェア補正処理について図７５乃至図７９を用いて説明する。なお、初期設定データ格納部５３ｃに格納されるデータ例は、第６の実施の形態におけるものと同様である。また、図７６及び図７７に示すような入札状況で、開始価格との差額は、図７８のテーブルの列１６０１に示すような値となる。図７６で分かるように、第１順位から第３順位まではあまり入札額に差がないが、第３順位から第４順位の間に大きな差ができている。
【０２０６】
そして、シェア補正部６４１は、各順位につき、（各順位の差額傾斜係数−差額平均傾斜係数）／標準偏差傾斜係数＋標準シェアによって補正割合を算出し、処理結果格納部５７に格納する（ステップＳ３１１）。なお、差額平均は、差額総額／指定順位で算出され、標準偏差は、（１／ｎ＊Σi（順位ｉの差額−差額平均）2）1/2で算出される。標準シェアは、初期設定データ格納部５３に格納されているデータ（図７８のテーブルの列１６０２）を用いる。上の例では、図７８のテーブルの列１６０３に示されるような値が算出される。ここでは傾斜係数＝２であるものとする。
【０２０７】
また、第２順位から指定順位までの各補正後シェアを、｛各順位の補正割合／シェア調整割合｝＊シェア調整割合で算出し、処理結果格納部５７に格納する（ステップＳ３１３）。なお、「｛」「｝」で囲った中の式については小数点以下を切り捨てる。シェア調整割合単位にシェアを丸める処理を実施するものである。
【０２０８】
さらに、第１順位の補正後シェアを、第２順位から指定順位までの補正後シェアの総和の残余として算出し、処理結果格納部５７に格納する（ステップＳ３１５）。具体的には、１００−（第２順位から指定順位までの補正後シェアの総和）で算出する。このような計算を行うと、図７８のテーブルの列１６０４に示すような値が得られる。
【０２０９】
このようにすれば、開始金額との差額が、その平均値を上回るほどより多くのシェアを得られるようになっている。傾斜係数によるべき乗となっているので、開始金額との差額とその差額の平均との差が強調又は緩和されるようになっている。
【０２１０】
このように上位の入札の入札額から大きく離れないような入札額で入札することが促され、全体としてより低い入札額の入札が促される。よって、発注側は調達コストを下げることができるようになる。
【０２１１】
なお、発注シェア決定処理を実施すると、図７９に示すような発注シェアが算出されるようになる。
【０２１２】
上では初期的な落札者数が「４」である例を示したが、初期的な落札者数が「３」、「２」であってもよい。
【０２１３】
また、本実施の形態についても、傾斜係数によるべき乗を用いているので非線形モデルと呼ぶものとする。
【０２１４】
このように、発注シェアや発注者数を固定化する概念を覆し、逆オークション開催中にリアルタイムに入札額順位に応じて入札額による格差配分にて自動変更することができ、活発な入札を誘発させることができるようになっている。
【０２１５】
すなわち、入札額による格差配分にて自動変更すれば、競争の中で自動的に順位配分シェアのインセンティブ傾斜を高めたり、最低シェア配分率等の初期設定値を任意に設定することで配分対象となる発注者数の絞り込みや条件緩和を自由に行えるようになる。より具体的には、第１順位の入札者は自分よりも下位の入札者との差額をより引き離すことでより多くの獲得シェアが得られ、第２順位以降の入札者は第１順位入札者との競り幅が開き過ぎると獲得シェアが減少するのみならず、発注落札者数の圏外に位置付けられた下位入札者では最低シェア配分率等の初期設定値によっては獲得シェアが得られないこととなる。従って、入札にプレッシャーが生じてより活発な競争条件を誘発させ、ベストプライス引き出すことができる。
【０２１６】
以上本発明の実施の形態を説明したが、本発明はこれに限定されるものではない。例えば、上で説明した機能ブロック図は必ずしも実際のプログラムモジュール構成に対応するものではない。また、入札サーバ５は、１台のコンピュータではなく複数台のコンピュータで実現するようにしても良い。
【０２１７】
また、処理フローにおいても、処理結果が変らなければ処理の順番を入れ替えることも可能である。さらに、並列に実行させるようにしても良い。
【０２１８】
さらに、発注シェアを提示するか、発注数量を提示するかは任意であって、例えば処理途中では発注シェアを提示して、確定後に発注数量を提示するようにしても良い。
【０２１９】
なお、入札サーバ５、入札者端末、発注者端末７はコンピュータ装置であって、図８０に示すように当該コンピュータ装置においては、メモリ２５０１（記憶部）とＣＰＵ２５０３（処理部）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ）及びＷｅｂブラウザを含むアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。このようなコンピュータは、上で述べたＣＰＵ２５０３、メモリ２５０１などのハードウエアとＯＳ及び必要なアプリケーション・プログラムとが有機的に協働することにより、上で述べたような各種機能を実現する。
【０２２０】
また、本発明は、以下のような形でまとめることも可能である。
【０２２１】
［付記１］（全実施の形態）
処理装置と記憶装置と入札データ格納部とを有するコンピュータにより実行され、複数の落札者を予定する逆オークションにおいて発注態様を決定する発注態様決定方法であって、
前記処理装置により、複数の入札者の端末から入札額を含む入札データを受信し、前記入札データ格納部に格納するステップと、
前記処理装置により、前記入札データ格納部に格納されている前記入札データに含まれる、複数の入札に係る入札額の分布に関するデータを生成し、前記記憶装置に格納するステップと、
前記処理装置により、前記記憶装置に格納された前記入札額の分布に関するデータに基づき落札者の発注シェア又は発注数量を決定し、前記記憶装置に格納する決定ステップと、
を含む発注態様決定方法。
【０２２２】
このようにすれば、例えば最上位（最低額）の入札及び当該最上位に近い入札額の入札に対してより多くの発注シェアを与え、逆に落札者の予定数までに入っている入札であっても最上位の入札額から大きく離れた入札額の入札にはほとんど発注シェアを与えないといった、より競争を促進する逆オークションを実施できるようになる。
【０２２３】
［付記２］（実施の形態１）
前記入札額の分布に関するデータが、最上位の入札額と各入札の入札額との差額であり、
前記決定ステップが、
特定の入札の前記差額が予め定められた金額以上である場合には、前記処理装置により、前記特定の入札の前記差額を基に、対応入札順位の予め定められたシェア配分に対する補正量を算出し、前記記憶装置に格納する補正量算出ステップ、
を含む付記１記載の発注態様決定方法。
【０２２４】
このようにすれば、最上位の入札を行っている入札者は、さらに入札額を下げて下位の入札者を補正量算出ステップの処理対象にして発注シェアを奪うことができるようになる。すなわち、入札額をより下げるインセンティブが与えられる。さらに、この結果として、発注シェアが０となって、落札者の予定数よりも少ない落札者が特定されることもある。
【０２２５】
［付記３］（実施の形態６）
前記補正量算出ステップが、
前記処理装置により、所定の非線形関数の、前記特定の入札の前記差額に対する値を算出するステップ
を含む付記２記載の発注態様決定方法。
【０２２６】
これによって、上記差額の影響を増幅（場合によっては減衰）させて発注シェアを決定することができるようになる。
【０２２７】
［付記４］（実施の形態２及び３）
前記入札額の分布に関するデータが、各入札の入札金額の、前記逆オークションの開始金額からの差額であり、
前記決定ステップが、
前記処理装置により、各入札の前記差額と上位所定入札順位までの前記差額の総和との比に基づき、仮の発注シェアを決定する仮発注シェア算出ステップ、
を含む付記１記載の発注態様決定方法。
【０２２８】
例えば、より多くの差額が発生している場合には、より少ない仮のシェアを割り当てるようにする。
【０２２９】
［付記５］（実施の形態７及び８）
前記入札額の分布に関するデータが、各入札の入札金額の、前記逆オークションの開始金額からの差額であり、
前記決定ステップが、
前記処理装置により、所定の非線形関数の、特定の入札の前記差額に対する値と、前記所定の非線形関数の、上位所定入札順位までの前記差額の総和に対する値との比に基づき、仮の発注シェアを決定する仮発注シェア算出ステップ、
を含む付記１記載の発注態様決定方法。
【０２３０】
このように、上記差額の影響を増幅（場合によっては減衰）させて仮の発注シェアを決定するようにしても良い。なお、特定の入札の上記差額と上位所定入札順位までの上記差額の総和との比に対する、所定の非線形関数の値に基づき、仮の発注シェアを決定する場合もある。
【０２３１】
［付記６］（実施の形態３及び８）
前記仮発注シェア算出ステップが、最上位以外の入札につき１つ上位の入札金額との差が所定範囲に収まっていない場合に実行される
付記４又は５記載の発注態様決定方法。
【０２３２】
入札額の分散が大きい場合には、予め定められた発注シェアを適用すると、入札の競争を促進することができないためである。
【０２３３】
［付記７］（実施の形態４及び５）
前記入札額の分布に関するデータが、各入札の入札金額の、前記逆オークションの開始金額からの差額であり、
前記決定ステップが、
前記処理装置により、各入札の前記差額と上位所定入札順位までの前記差額の平均との関係に基づき、仮の発注シェアを算出し、前記記憶装置に格納する仮発注シェア算出ステップ
を含む付記１記載の発注態様決定方法。
【０２３４】
例えば上記差額の平均からどの程度下回っているのか又は上回っているのかによって、入札者の努力度合いを評価するものである。
【０２３５】
［付記８］（実施の形態４）
前記関係が、各入札の前記差額と前記上位所定入札順位までの前記差額の平均との比であり、
前記仮発注シェア決定ステップが、
前記処理装置により、各入札の前記差額と前記上位所定入札順位までの前記差額の平均との比に基づき、対応入札順位の予め定められた配分シェアを補正するための補正量を算出し、前記記憶装置に格納するステップと、
前記処理装置により、前記記憶装置に格納された前記補正量を用いて、対応入札順位の予め定められたシェア配分を補正することによって前記仮の発注シェアを算出し、前記記憶装置に格納するステップと、
を含む付記７記載の発注態様決定方法。
【０２３６】
［付記９］（実施の形態５）
前記関係が、各入札の前記差額と前記所定順位までの前記差額の平均との差に関する値で表され、
前記仮発注シェア算出ステップにおいて、
各入札の前記差額と前記所定順位までの前記差額の平均との差に関する値と、対応入札順位の予め定められたシェア配分とに基づき、前記仮の発注シェアを算出する
付記７記載の発注態様決定方法。
【０２３７】
［付記１０］（実施の形態９）
前記入札額の分布に関するデータが、各入札の入札金額の、前記逆オークションの開始金額からの差額であり、
前記決定ステップが、
前記処理装置により、特定の入札の前記差額と、前記最上位から所定入札順位までの前記差額とに対する、所定の非線形関数の値に基づき、仮の発注シェアを算出し、前記記憶装置に格納する仮発注シェア算出ステップと、
を含む付記１記載の発注態様決定方法。
【０２３８】
このようにすれば、より上記差額が大きい入札に対してより多くの仮の発注シェアを与え、上記差額が小さい入札についてはより少ない仮の発注シェアを与えることができるようになる。
【０２３９】
［付記１１］（実施の形態５）
前記入札額の分布に関するデータが、各入札の入札金額の、前記逆オークションの開始金額からの差額であり、
前記決定ステップが、
前記処理装置により、各入札の前記差額と上位所定入札順位までの前記差額の平均との差と前記差額の標準偏差との比に基づき、仮の発注シェアを算出し、前記記憶装置に格納する仮発注シェア算出ステップと、
を含む付記１記載の発注態様決定方法。
【０２４０】
［付記１２］（実施の形態１０）
前記入札額の分布に関するデータが、各入札の入札金額の、前記逆オークションの開始金額からの差額であり、
前記決定ステップが、
前記処理装置により、所定の非線形関数の、各入札の前記差額に対する値と、前記所定の非線形関数の、最上位から上位所定入札順位までの前記差額の平均値に対する値と、前記所定の非線形関数の、前記最上位から前記上位所定入札順位までの前記差額の標準偏差に対する値とに基づき、仮の発注シェアを算出し、前記記憶装置に格納する仮発注シェア算出ステップと、
を含む付記１記載の発注態様決定方法。
【０２４１】
このように入札額の偏りを考慮に入れて、より傾斜的に仮の発注シェアを決定することもできる。
【０２４２】
［付記１３］（実施の形態４、５、９及び１０）
前記仮発注シェア算出ステップが、
前記差額の最大値と前記所定入札順位における前記差額との差が所定の範囲外である場合に実行される
付記７、８、９、１０及び１１のいずれか１つ記載の発注態様決定方法。
【０２４３】
入札額に大きな差が生じている場合には、固定のシェア配分は、競争促進上不適切であるためである。
【０２４４】
［付記１４］（実施の形態２乃至５、７乃至１０）
前記決定ステップが、
前記処理装置により、前記仮の発注シェアを調整するステップと、
前記処理装置により、最上位から前記上位所定入札順位までの入札に、調整後の前記仮の発注シェアが、発注可能な最低シェア以下の入札がある場合には、該当する入札の発注シェアを前記最低シェアに設定し、前記記憶装置に格納するステップと、
前記処理装置により、前記最低シェアに設定された入札についての発注シェアの総和を除いた残余の発注シェアを、前記最上位から前記上位所定入札順位までの入札のうち前記最低シェアが設定された入札以外の各入札に、当該入札についての調整後の前記仮の発注シェアに応じて配分して、前記記憶装置に格納するステップと、
を含む付記４乃至１３のいずれか１つ記載の発注態様決定方法。
【０２４５】
このようにすれば、最低シェアで足切りした上で、適切にシェア配分を行うことができるようになる。
【０２４６】
［付記１５］
付記１乃至１４のいずれか１つ記載の発注態様決定方法をコンピュータに実行させるためのプログラム。
【０２４７】
［付記１６］
複数の落札者を予定する逆オークションにおいて発注態様を決定する発注態様決定装置であって、
複数の入札者の端末から入札額を含む入札データを受信し、入札データ格納部に格納する手段と、
前記入札データ格納部に格納されている前記入札データに含まれる、複数の入札に係る入札額の分布に関するデータを生成し、前記記憶装置に格納する手段と、
前記記憶装置に格納された前記入札額の分布に関するデータに基づき落札者の発注シェア又は発注数量を決定し、前記記憶装置に格納する決定手段と、
を有する発注態様決定装置。
【図面の簡単な説明】
【０２４８】
【図１】本発明の第１の実施の形態に係るシステム概要図である。
【図２】本発明の第１の実施の形態におけるメインの処理フローを示す図である。
【図３】本発明の第１の実施の形態における初期設定処理の処理フローを示す図である。
【図４】諸元・定数ＤＢに格納されるデータの一例を示す図である。
【図５】本発明の第１の実施の形態における入札状況の一例を示す図である。
【図６】本発明の第１の実施の形態における入札状況の一例を示す図である。
【図７】本発明の第１の実施の形態における具体的な計算例を示す図である。
【図８】本発明の第１の実施の形態におけるシェア補正処理の処理フローを示す図である。
【図９】本発明の第１の実施の形態における発注シェア決定処理の処理フローを示す図である。
【図１０】本発明の第１の実施の形態における発注シェアの算出結果の一例を示す図である。
【図１１】本発明の第１の実施の形態において入札者端末で表示される画面例である。
【図１２】本発明の第１の実施の形態における入札状況の他の例を示す図である。
【図１３】（ａ）は本発明の第１の実施の形態における入札状況の他の例を示す図、（ｂ）は具体的な計算例を示す図、（ｃ）は発注シェアの算出結果の一例を示す図である。
【図１４】本発明の第１の実施の形態における入札状況のさらに他の例を示す図である。
【図１５】（ａ）は本発明の第１の実施の形態における入札状況のさらに他の例を示す図、（ｂ）は具体的な計算例を示す図、（ｃ）は発注シェアの算出結果の一例を示す図である。
【図１６】本発明の第２の実施の形態における機能ブロック図（差分のみ）を示す図である。
【図１７】本発明の第２の実施の形態におけるメインの処理フローを示す図である。
【図１８】本発明の第２の実施の形態における初期設定処理の処理フローを示す図である。
【図１９】本発明の第２の実施の形態におけるシェア試算処理の処理フローを示す図である。
【図２０】本発明の第２の実施の形態における入札状況の一例を示す図である。
【図２１】本発明の第２の実施の形態における入札状況の一例を示す図である。
【図２２】本発明の第２の実施の形態における具体的な計算例を示す図である。
【図２３】本発明の第２の実施の形態における発注数量の算出結果の一例を示す図である。
【図２４】本発明の第２の実施の形態における発注シェア決定処理の処理フローを示す図である。
【図２５】本発明の第２の実施の形態において入札者端末で表示される画面例である。
【図２６】本発明の第３の実施の形態における機能ブロック図（差分のみ）を示す図である。
【図２７】本発明の第３の実施の形態に係るメインの処理フローを示す図である。
【図２８】本発明の第３の実施の形態における入札状況の一例を示す図である。
【図２９】本発明の第３の実施の形態におけるシェア補正処理の処理フローを示す図である。
【図３０Ａ】本発明の第３の実施の形態における具体的な計算例を示すための図である。
【図３０Ｂ】本発明の第３の実施の形態における具体的な計算例を示す図である。
【図３１】本発明の第３の実施の形態における発注シェア決定処理の処理フローを示す図である。
【図３２】本発明の第３の実施の形態における発注シェアの算出結果の一例を示す図である。
【図３３】本発明の第３の実施の形態において入札者端末で表示される画面例である。
【図３４】本発明の第４の実施の形態における機能ブロック図（差分のみ）を示す図である。
【図３５】本発明の第４の実施の形態に係るメインの処理フローを示す図である。
【図３６】本発明の第４の実施の形態における入札状況の一例を示す図である。
【図３７】本発明の第４の実施の形態における入札状況の一例を示す図である。
【図３８】本発明の第４の実施の形態における具体的な計算例を示す図である。
【図３９】本発明の第４の実施の形態におけるシェア補正処理の処理フローを示す図である。
【図４０】本発明の第４の実施の形態における発注シェアの算出結果の一例を示す図である。
【図４１】本発明の第４の実施の形態において入札者端末で表示される画面例である。
【図４２】本発明の第５の実施の形態における機能ブロック図（差分のみ）を示す図である。
【図４３】本発明の第５の実施の形態におけるシェア補正処理の処理フローを示す図である。
【図４４】本発明の第５の実施の形態における入札状況の一例を示す図である。
【図４５】本発明の第５の実施の形態における入札状況の一例を示す図である。
【図４６】本発明の第５の実施の形態における具体的な計算例を示す図である。
【図４７】本発明の第５の実施の形態における発注シェアの算出結果の一例を示す図である。
【図４８】本発明の第６の実施の形態における機能ブロック図（差分のみ）を示す図である。
【図４９】本発明の第６の実施の形態における初期設定処理の処理フローを示す図である。
【図５０】本発明の第６の実施の形態におけるシェア補正処理の処理フローを示す図である。
【図５１】本発明の第６の実施の形態における入札状況の一例を示す図である。
【図５２】本発明の第６の実施の形態における入札状況の一例を示す図である。
【図５３】本発明の第６の実施の形態における具体的な計算例を示す図である。
【図５４】本発明の第６の実施の形態における発注シェアの算出結果の一例を示す図である。
【図５５】本発明の第７の実施の形態における機能ブロック図（差分のみ）を示す図である。
【図５６】本発明の第７の実施の形態における初期設定処理の処理フローを示す図である。
【図５７】本発明の第７の実施の形態におけるシェア試算処理の処理フローを示す図である。
【図５８】本発明の第７の実施の形態における入札状況の一例を示す図である。
【図５９】本発明の第７の実施の形態における入札状況の一例を示す図である。
【図６０】本発明の第７の実施の形態における具体的な計算例を示す図である。
【図６１】本発明の第７の実施の形態における発注数量の算出結果の一例を示す図である。
【図６２】本発明の第８の実施の形態における機能ブロック図（差分のみ）を示す図である。
【図６３】本発明の第８の実施の形態におけるシェア補正処理の処理フローを示す図である。
【図６４】本発明の第８の実施の形態における入札状況の一例を示す図である。
【図６５】本発明の第８の実施の形態における具体的な計算例を示す図である。
【図６６】本発明の第８の実施の形態における具体的な計算例を示す図である。
【図６７】本発明の第８の実施の形態における発注シェアの算出結果の一例を示す図である。
【図６８】本発明の第９の実施の形態における機能ブロック図（差分のみ）を示す図である。
【図６９】本発明の第９の実施の形態におけるシェア補正処理の処理フローを示す図である。
【図７０】本発明の第９の実施の形態における入札状況の一例を示す図である。
【図７１】本発明の第９の実施の形態における入札状況の一例を示す図である。
【図７２】本発明の第９の実施の形態における具体的な計算例を示す図である。
【図７３】本発明の第９の実施の形態における発注シェアの算出結果の一例を示す図である。
【図７４】本発明の第１０の実施の形態における機能ブロック図（差分のみ）を示す図である。
【図７５】本発明の第１０の実施の形態におけるシェア補正処理の処理フローを示す図である。
【図７６】本発明の第１０の実施の形態における入札状況の一例を示す図である。
【図７７】本発明の第１０の実施の形態における入札状況の一例を示す図である。
【図７８】本発明の第１０の実施の形態における具体的な計算例を示す図である。
【図７９】本発明の第１０の実施の形態における発注シェアの算出結果を示す図である。
【図８０】コンピュータの機能ブロック図である。
【符号の説明】
【０２４９】
１  ネットワーク
５  入札サーバ
７  発注者端末
５１  初期設定処理部
５２  諸元・定数ＤＢ
５３  初期設定データ格納部
５４  入札受信部
５５  入札データ格納部
５６  入札処理部
５７  処理結果格納部
５８  入札結果出力部
【図１】
2008033973.tif 000003
【図２】
2008033973.tif 000004
【図３】
2008033973.tif 000005
【図４】
2008033973.tif 000006
【図５】
2008033973.tif 000007
【図６】
2008033973.tif 000008
【図７】
2008033973.tif 000009
【図８】
2008033973.tif 000010
【図９】
2008033973.tif 000011
【図１０】
2008033973.tif 000012
【図１１】
2008033973.tif 000013
【図１２】
2008033973.tif 000014
【図１３】
2008033973.tif 000015
【図１４】
2008033973.tif 000016
【図１５】
2008033973.tif 000017
【図１６】
2008033973.tif 000018
【図１７】
2008033973.tif 000019
【図１８】
2008033973.tif 000020
【図１９】
2008033973.tif 000021
【図２０】
2008033973.tif 000022
【図２１】
2008033973.tif 000023
【図２２】
2008033973.tif 000024
【図２３】
2008033973.tif 000025
【図２４】
2008033973.tif 000026
【図２５】
2008033973.tif 000027
【図２６】
2008033973.tif 000028
【図２７】
2008033973.tif 000029
【図２８】
2008033973.tif 000030
【図２９】
2008033973.tif 000031
【図３０Ａ】
2008033973.tif 000032
【図３０Ｂ】
2008033973.tif 000033
【図３１】
2008033973.tif 000034
【図３２】
2008033973.tif 000035
【図３３】
2008033973.tif 000036
【図３４】
2008033973.tif 000037
【図３５】
2008033973.tif 000038
【図３６】
2008033973.tif 000039
【図３７】
2008033973.tif 000040
【図３８】
2008033973.tif 000041
【図３９】
2008033973.tif 000042
【図４０】
2008033973.tif 000043
【図４１】
2008033973.tif 000044
【図４２】
2008033973.tif 000045
【図４３】
2008033973.tif 000046
【図４４】
2008033973.tif 000047
【図４５】
2008033973.tif 000048
【図４６】
2008033973.tif 000049
【図４７】
2008033973.tif 000050
【図４８】
2008033973.tif 000051
【図４９】
2008033973.tif 000052
【図５０】
2008033973.tif 000053
【図５１】
2008033973.tif 000054
【図５２】
2008033973.tif 000055
【図５３】
2008033973.tif 000056
【図５４】
2008033973.tif 000057
【図５５】
2008033973.tif 000058
【図５６】
2008033973.tif 000059
【図５７】
2008033973.tif 000060
【図５８】
2008033973.tif 000061
【図５９】
2008033973.tif 000062
【図６０】
2008033973.tif 000063
【図６１】
2008033973.tif 000064
【図６２】
2008033973.tif 000065
【図６３】
2008033973.tif 000066
【図６４】
2008033973.tif 000067
【図６５】
2008033973.tif 000068
【図６６】
2008033973.tif 000069
【図６７】
2008033973.tif 000070
【図６８】
2008033973.tif 000071
【図６９】
2008033973.tif 000072
【図７０】
2008033973.tif 000073
【図７１】
2008033973.tif 000074
【図７２】
2008033973.tif 000075
【図７３】
2008033973.tif 000076
【図７４】
2008033973.tif 000077
【図７５】
2008033973.tif 000078
【図７６】
2008033973.tif 000079
【図７７】
2008033973.tif 000080
【図７８】
2008033973.tif 000081
【図７９】
2008033973.tif 000082
【図８０】
2008033973.tif 000083